(57)【要約】      （修正有）【課題】ＭＩＭＯ送信のためのコードワード・レベル・スクランブリングを行なう技術を提供する。【解決手段】送信局は、ＭＩＭＯ送信のために同時に送られている複数のデータ・ストリームのためのチャネル符号化を行なってもよい。チャネル符号化の後に、異なるスクランブリング符号で複数のデータ・ストリームに対してスクランブリングを行なってもよい。送信局はまた、チャネル符号化の後に、複数のデータ・ストリームに対してチャネル・インターリービング、シンボル・マッピング及び空間処理を行なってもよい。受信局は、ＭＩＭＯ送信を受け取り、異なるスクランブリング符号で複数のデータ・ストリームに対してデスクランブリングを行ない、チャネル復号を行なってもよい。スクランブリングは、相補的なデスクランブリングを行なうことにより各データ・ストリームを分離すること及び他のデータ・ストリームからのランダム化した干渉を得、性能を改善する。【選択図】図６
2014053900.tif 000002
【特許請求の範囲】
【請求項１】
次のものを備える無線通信のための装置：
マルチプルインプット・マルチプルアウトプット（ＭＩＭＯ）送信のために同時に送られる複数のデータ・ストリームに対してチャネル符号化を行なうように、そして、チャネル符号化の後に複数のスクランブリング符号で複数のデータ・ストリームに対してスクランブリングを行なうように構成される少なくとも１つのプロセッサ；
及び、前記少なくとも１つのプロセッサに結合されたメモリ。
【請求項２】
前記少なくとも１つのプロセッサは、前記複数のデータ・ストリームに対する前記チャネル符号化から複数の符号化されたストリームを得るように、そして、対応するスクランブルされたストリームを得るために異なるスクランブリング符号で各符号化されたストリームをスクランブルするように構成される請求項１の装置。
【請求項３】
前記少なくとも１つのプロセッサは、前記スクランブリングの後に、前記複数のデータ・ストリームに対して空間処理を行なうように構成される請求項１の装置。
【請求項４】
前記少なくとも１つのプロセッサは、前記チャネル符号化の後にかつ前記スクランブリングの前又は後に、前記複数のデータ・ストリームに対してチャネル・インターリービングを行なうように構成される請求項１の装置。
【請求項５】
前記少なくとも１つのプロセッサは、前記チャネル符号化の後にかつ前記スクランブリングの前又は後に、前記複数のデータ・ストリームに対してシンボル・マッピングを行なうように構成される請求項１の装置。
【請求項６】
前記チャネル符号化は、前方誤り訂正（ＦＥＣ）符号化を含み、かつ、前記少なくとも１つのプロセッサは、対応する符号化されたストリームを得るために各データ・ストリームに対してＦＥＣ符号化を行なうように構成される請求項１の装置。
【請求項７】
前記チャネル符号化はレート・マッチングを含み、かつ、前記少なくとも１つのプロセッサは、対応する符号化されたストリームを得るために各データ・ストリームに対してレート・マッチングを行なうように構成される請求項１の装置。
【請求項８】
前記チャネル符号化は、前方誤り訂正（ＦＥＣ）符号化及びレート・マッチングを含み、かつ、前記少なくとも１つのプロセッサは、対応する符号化されたストリームを得るために各データ・ストリームに対してＦＥＣ符号化及びレート・マッチングを行なうように構成される請求項１の装置。
【請求項９】
前記複数のフクランブリング符号は、複数の擬似乱数（ＰＮ）シーケンスに対応する請求項１の装置。
【請求項１０】
次のことを備える無線通信のための方法：
マルチプルインプット・マルチプルアウトプット（ＭＩＭＯ）送信のために同時に送られる複数のデータ・ストリームに対してチャネル符号化を行なうこと；
及び、前記チャネル符号化の後に複数のスクランブリング符号で前記複数のデータ・ストリームに対してスクランブリングを行なうこと。
【請求項１１】
前記チャネル符号化を行なうことは、対応する符号化されたストリームを得るために、各データ・ストリームに対して前方誤り訂正（ＦＥＣ）符号化及びレート・マッチングのうちの少なくとも１つを行なうことを備える請求項１０の方法。
【請求項１２】
前記スクランブリングを行なうことは、対応するスクランブルされたストリームを得るために、異なるスクランブリング符号で各符号化されたストリームをスクランブリングすることを備える請求項１１の方法。
【請求項１３】
次のことをさらに備える請求項１０の方法：
前記チャネル符号化の後にかつ前記スクランブリングの前又は後に、前記複数のデータ・ストリームに対してシンボル・マッピングを行なうこと；
及び、前記シンボル・マッピング及び前記スクランブリングの後に前記複数のデータ・ストリームに対して空間処理を行なうこと。
【請求項１４】
次のものを備える無線通信のための装置：
マルチプルインプット・マルチプルアウトプット（ＭＩＭＯ）送信のために同時に送られる複数のデータ・ストリームに対してチャネル符号化を行なうための手段；
及び、前記チャネル符号化の後に、複数のスクランブリング符号で前記複数のデータ・ストリームに対してスクランブリング行なうための手段。
【請求項１５】
前記チャネル符号化を行なうための手段は、対応する符号化されたストリームを得るために、各データ・ストリームに対して前方誤り訂正（ＦＥＣ）符号化及びレート・マッチングのうちの少なくとも１つを行なうための手段を備える請求項１４の装置。
【請求項１６】
前記スクランブリングを行なうための手段は、対応するスクランブルされたストリームを得るために、異なるスクランブリング符号で各符号化されたストリームをスクランブルするための手段を備える請求項１５の装置。
【請求項１７】
次のものをさらに備える請求項１４の装置：
前記チャネル符号化の後にかつ前記スクランブリングの前又は後に、前記複数のデータ・ストリームに対してシンボル・マッピングを行なうための手段；
及び、前記シンボル・マッピング及び前記スクランブリングの後に、前記複数のデータ・ストリームに対して空間処理を行なうための手段。
【請求項１８】
機械によって実行される場合に次のことを含む動作を前記機械に行なわせる命令を備える機械読取り可能媒体：
マルチプルインプット・マルチプルアウトプット（ＭＩＭＯ）送信のために同時に送られる複数のデータ・ストリームに対してチャネル符号化を行なうこと；
及び、前記チャネル符号化の後に、複数のスクランブリング符号で前記複数のデータ・ストリームに対してスクランブリングを行なうこと。
【請求項１９】
次のものを備える無線通信用の装置：
マルチプルインプット・マルチプルアウトプット（ＭＩＭＯ）送信のために少なくとも１つの他の局によって送られる少なくとも１つの他のデータ・ストリームと同時に第１の局によって送られるデータ・ストリームに対してチャネル符号化を行なうように、そして、前記チャネル符号化の後に、スクランブリング符号で前記データ・ストリームに対してスクランブリングを行なうように構成される少なくとも１つのプロセッサであって、前記スクランブリング符号は、前記少なくとも１つの他のデータ・ストリームに対して前記少なくとも１つの他の局によって用いられる少なくとも１つの他のスクランブリング符号とは異なる少なくとも１つのプロセッサ；
及び、前記少なくとも１つのプロセッサに結合されたメモリ。
【請求項２０】
前記少なくとも１つのプロセッサは、符号化されたストリームを得るために、前記データ・ストリームに対して前方誤り訂正（ＦＥＣ）符号化及びレート・マッチングのうちの少なくとも１つを行なうように、そして、前記スクランブリング符号で前記符号化されたストリームをスクランブルするように構成される請求項１９の装置。
【請求項２１】
前記少なくとも１つのプロセッサは、前記チャネル符号化の後に前記データ・ストリームに対してチャネル・インターリービングを行なうように、そして、前記チャネル・インターリービングの後に前記データ・ストリームに対してシンボル・マッピングを行なうように構成される請求項１９の装置。
【請求項２２】
次のものを備える無線通信用の装置：
複数のデータ・ストリームを含むマルチプルインプット・マルチプルアウトプット（ＭＩＭＯ）送信を受け取るように、複数のスクランブリング符号で複数のデータ・ストリームに対してデスクランブリングを行なうように、そして、前記デスクランブリングの後に前記複数のデータ・ストリームに対してチャネル復号を行なうように構成された少なくとも１つのプロセッサ；
及び、前記少なくとも１つのプロセッサに結合されたメモリ。
【請求項２３】
前記少なくとも１つのプロセッサは、複数の検知されたシンボル・ストリームを得るために、複数の受信されたシンボル・ストリームに対してＭＩＭＯ検知を行なうように構成される請求項２２の装置。
【請求項２４】
前記少なくとも１つのプロセッサは、前記チャネル復号の前にかつ前記デスクランブリングの前又は後に、前記複数のデータ・ストリームに対してシンボル・デマッピングを行なうように構成される請求項２２の装置。
【請求項２５】
前記少なくとも１つのプロセッサは、前記チャネル復号の前にかつ前記デスクランブリングの前又は後に、前記複数のデータ・ストリームに対してチャネル・デインターリービングを行なうように構成される請求項２２の装置。
【請求項２６】
前記少なくとも１つのプロセッサは、対応するデスクランブルされたストリームを得るために、異なるスクランブリング符号で各データ・ストリームに対してデスクランブリングを行なうように、そして、前記複数のデータ・ストリームに対する前記デスクランブリングから複数のデスクランブルされたストリームを得るように構成される請求項２２の装置。
【請求項２７】
前記チャネル復号は、前方誤り訂正（ＦＥＣ）復号を含む、そして、前記少なくとも１つのプロセッサは、対応する復号されたデータ・ストリームを得るために、各デスクランブルされたストリームに対してＦＥＣ復号を行なうように構成される請求項２６の装置。
【請求項２８】
前記チャネル復号は、デレート・マッチングを含む、そして、前記少なくとも１つのプロセッサは、対応する復号されたデータ・ストリームを得るために、各デスクランブルされたストリームに対してデレート・マッチングを行なうように構成される請求項２６の装置。
【請求項２９】
前記チャネル復号は、前方誤り訂正（ＦＥＣ）復号及びデレート・マッチングを備える、そして、前記少なくとも１つのプロセッサは、対応する復号されたデータ・ストリームを得るために各デスクランブルされたストリームに対してＦＥＣ復号及びデレート・マッチングを行なうように構成される請求項２６の装置。
【請求項３０】
次のことを備える無線通信のための方法：
複数のデータ・ストリームを含むマルチプルインプット・マルチプルアウトプット（ＭＩＭＯ）送信を受け取ること；
複数のサクランブリング符号で前記複数のデータ・ストリームに対してデスクランブリングを行なうこと；
及び、前記デスクランブリングの後に、前記複数のデータ・ストリームに対してチャネル復号を行なうこと。
【請求項３１】
前記デスクランブリングを行なうことは、対応するデスクランブルされたストリームを得るために、異なるスクランブリング符号で各データ・ストリームに対してデスクランブリングを行なうことを備える請求項３０の方法。
【請求項３２】
前記チャネル復号を行なうことは、対応する復号されたデータ・ストリームを得るために、各デスクランブルされたストリームに対して前方誤り訂正（ＦＥＣ）復号及びデレート・マッチングのうちの少なくとも１つを行なうことを備える請求項３１の方法。
【請求項３３】
次のことをさらに備える請求項３０の方法：
複数の検知されたシンボル・ストリームを得るために、複数の受信されたシンボル・ストリームに対してＭＩＭＯ検知を行なうこと；
及び、前記デスクランブリングの前に、前記検知されたシンボル・ストリームに対してシンボル・デマッピングを行なうこと。
【請求項３４】
次のものを備える無線通信のための装置：
複数のデータ・ストリームを含むマルチプルインプット・マルチプルアウトプット（ＭＩＭＯ）送信を受け取るための手段；
複数のスクランブリング符号で前記複数のデータ・ストリームに対してデスクランブリングを行なうための手段；
及び、前記デスクランブリングの後に、前記複数のデータ・ストリームに対してチャネル復号を行なうための手段。
【請求項３５】
前記デスクランブリングを行なうための手段は、対応するデスクランブルされたストリームを得るために、異なるスクランブリング符号で各データ・ストリームに対してデスクランブリングを行なうための手段を備える請求項３４の装置。
【請求項３６】
前記チャネル復号を行なうための手段は、対応する復号されたデータ・ストリームを得るために、各デスクランブルされたストリームに対して前方誤り訂正（ＦＥＣ）復号及びデレート・マッチングのうちの少なくとも１つを行なうための手段を備える請求項３５の装置。
【請求項３７】
次のものをさらに備える請求項３４の装置：
複数の検知されたシンボル・ストリームを得るために、複数の受信されたシンボル・ストリームに対してＭＩＭＯ検知を行なうための手段；
及び、前記デスクランブリングの前に、前記複数の検知されたシンボル・ストリームに対してシンボル・デマッピングを行なうための手段。
【請求項３８】
機械によって実行される場合に次のことを含む動作を前記機械に行なわせる命令を備える機械読取り可能媒体：
複数のデータ・ストリームを含むマルチプルインプット・マルチプルアウトプット（ＭＩＭＯ）送信を受け取ること；
複数のスクランブリング符号で前記複数のデータ・ストリームに対してデスクランブリングを行なうこと；
及び、前記デスクランブリングの後に、前記複数のデータ・ストリームに対してチャネル復号を行なうこと。
【請求項３９】
次のものを備える無線通信のための装置：
スクランブリング符号でデータ・ストリームに対してデスクランブリングを行なうように、そして、前記デスクランブリングの後に、前記データ・ストリームに対してチャネル復号を行なうように構成される少なくとも１つのプロセッサであって、前記データ・ストリームは、マルチプルインプット・マルチプルアウトプット（ＭＩＭＯ）送信のために同時に送られる複数のデータ・ストリームのうちの１つであり、かつ、前記複数のデータ・ストリームは異なるスクランブリング符号でスクランブルされる少なくとも１つのプロセッサ；
及び、前記少なくとも１つのプロセッサに結合されたメモリ。
【請求項４０】
前記少なくとも１つのプロセッサは、復号されたデータ・ストリームを得るために、前記データ・ストリームに対して前方誤り訂正（ＦＥＣ）復号及びデレート・マッチングのうちの少なくとも１つを行なうように構成される請求項３９の装置。
【請求項４１】
前記少なくとも１つのプロセッサは、前記チャネル復号の前に、前記データ・ストリームに対してシンボル・デマッピングを行なうように、そして、前記シンボル・デマッピングの後にかつ前記チャネル復号の前に、前記データ・ストリームに対してチャネル・デインターリービングを行なうように構成される請求項３９の装置。
【請求項４２】
前記複数のデータ・ストリームは、複数の局に送られる請求項３９の装置。
【発明の詳細な説明】
【技術分野】
【０００１】
本開示は、一般的には通信に関し、さらに具体的には無線通信システムにおいてデータを送信するための技術に関する。
【背景技術】
【０００２】
無線通信システムは、音声、ビデオ、パケット・データ、メッセージング（messaging）、ブロードキャストなどのような種々の通信内容を提供するために広く展開される。これらの無線システムは、利用可能なシステム・リソースの共有により複数のユーザをサポートすることができる多元接続システムであってもよい。そのような多元接続システムの例は、符号分割多元接続（ＴＤＭＡ）システム、時分割多元接続（ＴＤＭＡ）システム、周波数分割多元接続（ＦＤＭＡ）システム、直交ＦＤＭＡ（ＯＦＤＭＡ）システム及びシングルキャリアＦＤＭＡ（ＳＣ−ＦＤＭＡ）システムを含む。
【０００３】
無線通信システムは、マルチプルインプット・マルチプルアウトプット（ＭＩＭＯ）送信をサポートすることができる。ＭＩＭＯでは、送信局は、複数の送信アンテナによって受信局の複数の受信アンテナに複数のデータ・ストリームを同時に送ることができる。その複数の送信及び受信アンテナは、処理能力を増大させるため及び／又は信頼性を改善するために使用されうるＭＩＭＯチャネルを形成する。例えば、処理能力を改善するために、Ｓの送信アンテナからＳのデータ・ストリームが同時に送られてもよい。
【０００４】
送信局と受信局の間の無線チャネルにおける分散によって、送信局によって同時に送られる複数のデータ・ストリームは、通常、受信局において互に干渉する。従って、受信局で受信を促進する態様で複数のデータ・ストリームを送信することが望ましい。
【発明の概要】
【０００５】
無線通信システムにおいてＭＩＭＯ送信のためのコードワード・レベル・スクランブリング（codeword level scrambling）を行なうための技術がここに記述される。コードワード・レベル・スクランブリングは、ノードＢ又はユーザ装置（ＵＥ）であってもよい送信局でのチャネル符号化の後におけるスクランブリングを指す。一般に、１つ又は複数の送信局は、１つ又は複数の受信局へのＭＩＭＯ送信のために複数のデータ・ストリームを同時に送ってもよい。各データ・ストリームは、そのデータ・ストリームに対する送信局によるチャネル符号化の後に異なるスクランブリング符号でスクランブルされてもよい。そのスクランブリングは、所与のデータ・ストリームに対する受信局に、相補的なデスクランブリングを行うことによりそのデータ・ストリームを分離すること及び他のデータ・ストリームからのランダム化した干渉（randomized interference）を得ることを可能にしてもよい。これらの特徴は、複数のデータ・ストリームが空間的に分離可能でないかもしれないシナリオにおいて有益でありえ、かつ性能を改良することができる。
【０００６】
１つのデザインでは、送信局（例えば、ノードＢ又はＵＥ）は、ＭＩＭＯ送信のために同時に送られる複数のデータ・ストリームに対してチャネル符号化を行なってもよい。チャネル符号化は、前方誤り訂正(FEC)符号化 (例えば、ターボ又は畳み込み符号化)及び／又はレート・マッチング（rate matching）（例えば、パンクチュアリング（puncturing）又は繰り返し（repetition））を含んでもよい。送信局は、チャネル符号化の後に、複数のデータ・ストリームに対してスクランブリングを行なってもよい。送信局はまた、チャネル符号化の後に、複数のデータ・ストリームに対してチャネル・インターリービング、シンボル・マッピング及び空間処理を行なってもよい。
【０００７】
１つのデザインでは、受信局は、複数のデータ・ストリームを含むＭＩＭＯ送信を受け取ってもよく、また、複数の検知されたシンボル・ストリームを得るためにＭＩＭＯ検知を行なってもよい。受信局は、検知されたシンボル・ストリームに対してシンボル・デマッピング及びチャネル・デインターリービングを行なってもよい。受信局はまた、異なるスクランブリング符号で複数のデータ・ストリームに対してデスクランブリングを行なってもよく、また、複数のデータ・ストリームに対するチャネル復号（例えば、ＦＥＣ復号及び／又はデレート・マッチング）を行なってもよい。
【０００８】
本開示の種々の態様及び特徴がさらに詳細に記述される。
【図面の簡単な説明】
【０００９】
【図１】図１は、無線通信システムを示す。
【図２Ａ】図２Ａは、ダウンリンクのためのシングルユーザーＭＩＭＯ（ＳＵ−ＭＩＭＯ）を示す。
【図２Ｂ】図２Ｂは、ダウンリンクのためのマルチユーザーＭＩＭＯ（ＭＵ−ＭＩＭＯ）を示す。
【図２Ｃ】図２Ｃは、アップリンクのためのＭＵ−ＭＩＭＯを示す。
【図３】図３は、１つのノードＢ及び２つのＵＥのブロック図を示す。
【図４Ａ】図４Ａは、複数のデータ・ストリームのための送信（ＴＸ）データ・プロセッサを示す。
【図４Ｂ】図４Ｂは、１つのデータ・ストリームのためのＴＸデータ・プロセッサを示す。
【図５Ａ】図５Ａは、複数のデータ・ストリームのための受信（ＲＸ）データ・プロセッサを示す。
【図５Ｂ】図５Ｂは、１つのデータ・ストリームのためのＲＸデータ・プロセッサを示す。
【図６】図６は、複数のデータ・ストリームを送信するためのプロセスを示す。
【図７】図７は複数のデータ・ストリームを送信するための装置を示す。
【図８】図８は、１つのデータ・ストリームを送信するためのプロセスを示す。
【図９】図９は１つのデータ・ストリームを送信するための装置を示す。
【図１０】図１０は、複数のデータ・ストリームを受け取るためのプロセスを示す。
【図１１】図１１は、複数のデータ・ストリームを受け取るための装置を示す。
【図１２】図１２は、１つのデータ・ストリームを受け取るためのプロセスを示す。
【図１３】図１３は、１つのデータ・ストリームを受け取るための装置を示す。
【詳細な説明】
【００１０】
ここに記述される技術は、ＣＤＭＡ、ＴＤＭＡ、ＦＤＭＡ、ＯＦＤＭＡ、ＳＣ−ＦＤＭＡ及び他のシステムのような種々の無線通信システムに使用されてもよい。「システム」、「ネットワーク」という用語は互換可能に使用されることが多い。ＣＤＭＡシステムは、ユニバーサル・テレストリアル・ラジオ・アクセス（ＵＴＲＡ）、ｃｄｍａ２０００などのような無線技術をインプリメント（implement）してもよい。ＵＴＲＡは、広帯域ＣＤＭＡ（Ｗ−ＣＤＭＡ）及びＣＤＭＡの他の変形を含む。ｃｄｍａ２０００は、ＩＳ−２０００、ＩＳ−９５及びＩＳ−８５６標準をカバーする。ＴＤＭＡシステムは、グローバル移動体通信システム（ＧＳＭ（登録商標））のような無線技術をインプリメントしてもよい。ＯＦＤＭＡシステムは、Ｅｖｏｌｖｅｄ ＵＴＲＡ（ｅ−ＵＴＲＡ）ウルトラ・モバイル・ブロードバンド（ＵＭＢ）、ＩＥＥＥ  ８０２．１６（ＷｉＭＡＸ）、ＩＥＥＥ８０２．２０、フラッシュＯＦＤＭ（登録商標）、等のような無線技術をインプリメントしてもよい。ＵＴＲＡ、Ｅ−ＵＴＲＡ及びＧＳＭは、ユニバーサル・モバイル・テレコミュニケーション・システム（ＵＭＴＳ）の一部である。３ＧＰＰロング・ターム・エボリューション（ＬＴＥ）は、ダウンリンク上でＯＦＤＭＡを使用しそしてダウンリンク上でＳＣ−ＦＤＭＡを使用するＥ−ＵＴＲＡを使用するＵＭＴＳの来たるべきリリースである。ＵＴＲＡ、Ｅ−ＵＴＲＡ、ＧＳＭ、ＵＭＴＳ及びＬＴＥは、「第３世代パートナーシップ・プロジェクト」（３ＧＰＰ）とう名称の組織からの文書に記載されている。ｃｄｍａ２０００及びＵＭＢは、「第３世代パートナーシップ・プロジェクト２」（３ＧＰＰ２）とう名称の組織からの文書に記載されている。それらの技術はまた、ＩＥＥＥ８０８．１１（Ｗｉ−Ｆｉ）、ハイパーラン（Ｈｉｐｅｒｌａｎ）、等のような無線技術をインプリメントできる無線ローカルエリアネットワーク（ＷＬＡＮ）に使用されてもよい。これらの種々の無線技術及び標準は、技術的に知られている。
【００１１】
図１は、複数のノードＢ１１０を備えた無線通信システム１００を示す。ノードＢは、ＵＥと通信するために使用される固定局であってもよく、また、エボルブド（evolved）・ノードＢ（ｅＮＢ）、基地局、アクセス・ポイントなどと呼ばれてもよい。各ノードＢ１１０は、特定の地理的なエリアに対して通信カバレージを提供する。ＵＥ１２０は、システムの全体にわたって分散されてもよい。ＵＥは、固定又はモバイルであってもよく、また、移動局、端末、アクセス端末、加入者ユニット、局、等と呼ばれてもよい。ＵＥは、携帯電話、携帯情報端末（ＰＤＡ）、無線モデム、無線通信デバイス、ハンドヘルド・デバイス、ラップトップ・コンピュータ、コードレスホン、等であってもよい。ＵＥは、ダウンリンク及びアップリンク上の送信によってノードＢと通信してもよい。ダウンリンク（又は順方向リンク）は、ノードＢからＵＥへの通信リンクを指し、そして、アップリンク（又は逆方向リンク）は、ＵＥからノードＢへの通信リンクを指す。
【００１２】
システム１００は、ダウンリンク及び／又はアップリンク上のＭＩＭＯ送信をサポートしてもよい。ダウンリンク上では、ノードＢは、ＳＵ−ＭＩＭＯに対するシングルＵＥ又はＭＵ−ＭＩＭＯに対する複数のＵＥｓにＭＩＭＯ送信を送ってもよい。アップリンク上では、ノードＢは、ＳＵ−ＭＩＭＯに対するシングルＵＥ又はＭＵ−ＭＩＭＯに対する複数のＵＥからＭＩＭＯ送信を受け取ってもよい。Ｍｕ−ＭＩＭＯはまた、一般に空間分割多元接続ＳＤＭＡ）とも呼ばれる。
【００１３】
図２Ａは、ＳＵ−ＭＩＭＯに対するダウンリンク上のＭＩＭＯ送信を示す。ノードＢ１１０は、１つの組のリソース上のシングルＵＥ１２０への複数の（Ｓの）データ・ストリームを含むＭＩＭＯ送信を送ることができる。ＵＥ１２０は、Ｓの又はそれより多いアンテナでＭＩＭＯ送信を受信することができ、また、各データ・ストリームを回復するためにＭＩＭＯ検知を行なうことができる。
【００１４】
ＳＵ−ＭＩＭＯに対するアップリンク上のＭＩＭＯ送信は同様の態様で生じてもよい。ＵＥ１２０は、１つの組のリソース上のノードＢ１１０に複数のデータ・ストリームを含むＭＩＭＯ送信を送ってもよい。ノードＢ１１０は、ＵＥ１２０によって送られたデータ・ストリームを回復するためにＭＩＭＯ検知を行なってもよい。
【００１５】
図２Ｂは、ＳＤＭＡに対するダウンリンク上のＭＩＭＯ送信を示す。ノードＢ１１０は、１つの組のリソース上のＳの異なるＵＥｓ１２０ａ―１２０ｓへのＳのデータ・ストリームを含むＭＩＭＯ送信を送ってもよい。ノードＢ１１０は、各データ・ストリームを受信者ＵＥへ導くために前符号化又はビームフォーミングを行なってもよい。この場合には、図２Ｂに示されるように、各ＵＥはシングル・アンテナでそれのデータ・ストリームを受け取ることができてもよい。ノードＢ１１０はまた、ＳのアンテナからＳのデータ・ストリームを、各アンテナからの１つのデータ・ストリームを送信してもよい。この場合には、各ＵＥ１２０は、複数のアンテナ（図２Ｂには示されない）でＭＩＭＯ送信を受け取ってもよく、また、他のデータ・ストリームから干渉の存在下において、それのデータ・ストリームを回復するためにＭＩＭＯ検知を行なってもよい。一般に、ノードＢ１１０は、ＳＤＭＡのために各ＵＥに１つ又は複数のデータ・ストリームを送ってもよく、また、各ＵＥは、十分な数のアンテナでそれのデータ・ストリームを回復してもよい。
【００１６】
図２Ｃは、ＳＤＭＡのためのアップリンク上のＭＩＭＯ送信を示す。Ｓの異なるＵＥｓ１２０ａ―１２０ｓは、Ｓのデータ・ストリームを１つの組のリソース上でノードＢ１１０に同時に送ってもよい。図２Ｃ示されるように、各ＵＥ１２０は、それのデータ・ストリームを１つのアンテナから送信してもよい。ノードＢ１１０は、ＳのＵＥ１２０ａ―１２０ｓからのＭＩＭＯ送信を複数のアンテナで受け取ることができ、また、他のデータ・ストリームからの干渉の存在下において、各ＵＥからのデータ・ストリームを回復するためにＭＩＭＯ検知を行なうことができる。一般に、各ＵＥ１２０は、ＳＤＭＡのためにノードＢ１１０に１つ又は複数のデータ・ストリームを送ってもよく、また、ノードＢ１１０は、十分な数のアンテナですべてのＵＥからデータ・ストリームを回復してもよい。
【００１７】
一般に、１つ又は複数の送信局は、１つ又は複数の受信局へＭＩＭＯ送信を送ってもよい。ダウンリンクについては、１つの送信局あるいはノードＢが、１つ又は複数の受信局あるいはＵＥへＭＩＭＯ送信を送ってもよい。アップリンク上では、１つ又は複数の送信局あるいはＵＥが、１つの受信局あるいはノードＢへＭＩＭＯ送信を送ってもよい。従って、送信局は、ノードＢ又はＵＥであってもよく、また、１つあるいは複数のデータ・ストリームを送ってもよい。受信局も、ノードＢ又はＵＥであってもよく、また、ＭＩＭＯ送信における１つの又は複数のデータ・ストリームを受け取ってもよい。
【００１８】
一般に、データ・ストリームは、任意のタイプのデータを搬送してもよく、また、送信局によって独立に符号化されてもよい。その後、データ・ストリームは、受信局によって独立に復号されてもよい。データ・ストリームはまた、空間ストリーム、シンボル・ストリーム、ストリーム、層、等と呼ばれてもよい。符号化されたデータ・ブロックを得るために、符号化は、通常、データ・ブロック上で行なわれる。データ・ブロックはまた、符号ブロック、転送ブロック、パケット、プロトコル・データ・ユニット（ＰＤＵ）、等と呼ばれてもよい。符号化ブロックはまた、コードワード、符号化パケット、等と呼ばれてもよい。複数のデータ・ストリームにおける複数のデータ・ブロックは、複数のコードワードを得るために符号化されてもよく、その後、それはＭＩＭＯ送信において並列に送られてもよい。従って、用語「ストリーム」、「データ・ストリーム」、「コードワード」及び「層」は、互換可能に使用されてもよい。
【００１９】
ＭＩＭＯチャネルによって同時に送ることができ、かつ、受信局によって首尾よく復号できるデータ・ストリームの数は、ＭＩＭＯチャネルのランクと一般に呼ばれる。そのランクは、送信アンテナの数、受信アンテナの数、チャネル条件、等のような種々の要因に依存しうる。例えば、異なる送信受信アンテナ・ペアに対する信号経路が相関される場合には、より多くのデータ・ストリームを送ると、各データ・ストリームが他のデータ・ストリームからの過剰な干渉を観察することになりうるので、少ないデータ・ストリーム（例えば、１つのデータ・ストリーム）がサポートされうる。ランクは、技術的に知られた種々の態様で、チャネル条件及び他の適用可能な要件に基づいて決定されてもよい。送るべきデータ・ストリームの数は、ランクによって制限されてもよい。
【００２０】
図３は、１のノードＢ１１０と２つのＵＥ１２０ｘ及び１２０ｙのブロック図を示す。ノードＢ１１０は、複数の（Ｔの）アンテナ３２６ａ―３２６ｔを装備している。ＵＥ１２０ｘは、単一のアンテナ３５２ｘを装備している。ＵＥ１２０ｙは、複数の（Ｒの）アンテナ３５２ａ―３５２ｒを装備している。各アンテナは、物理的アンテナ又はアンテナアレイであってもよい。
【００２１】
ノードＢ１１０では、ＴＸデータ・プロセッサ３２０は、サーブ（served）されている１つ又は複数のＵＥｓに対するデータ・ソース３１２からデータを受信してもよい。ＴＸデータ・プロセッサ３２０は、データ・シンボルを得るために、そのＵＥに対して選択された１つ又は複数の変調及び符号化スキームに基づいて各ＵＥに対するデータを処理（例えば、復号する、インターリーブする、及びシンボル・マップする）してもよい。変調及び符号化スキームはまた、パケット・フォーマット、転送フォーマット、レート、等と呼ばれてもよい。ＴＸデータ・プロセッサ３２０はまた、パイロット・シンボルを生成してデータ・シンボルと共に多重化してもよい。データ・シンボルは、データに対するシンボルであり、パイロット・シンボルは、パイロットに対するシンボルであり、そして、シンボルは、通常、複素値である。データ及びパイロット・シンボルは、ＰＳＫ又はＱＡＭのような変調スキームからの変調シンボルであってもよい。パイロットは、ノードＢ及びＵＥの両方によって先験的に知られるデータである。
【００２２】
ＴＸ ＭＩＭＯプロセッサ３２２は、ＴＸデータプロセッサ３２０からのデータ及びパイロット・シンボルに対して空間処理を行なってもよい。ＴＸ ＭＩＭＯプロセッサ３２２は、直接ＭＩＭＯマッピング、前符号化／ビームフォーミング、等を行なってもよい。データ・シンボルは、直接ＭＩＭＯマッピングのための１本のアンテナから又は前符号化／ビームフォーミングのための複数のアンテナから送られてもよい。ＴＸ ＭＩＭＯプロセッサ３２２は、Ｔの出力シンボル・ストリームをＴの変調器（ＭＯＤ）３２４ａ―３２４ｔに提供してもよい。各変調器３２４は、出力チップ・ストリームを得るために、それの出力シンボル・ストリーム（例えば、直交周波数分割多重化（ＯＦＤＭ）、等のために）を処理してもよい。各変調器３２４は、それの出力チップ・ストリームをさらに調整し（例えば、アナログ変換する、フィルタする、増幅する、及びアップコンバートする）、そして、ダウンリンク信号を生成してもよい。変調器３２４ａ―３２４ｔからのＴのダウンリンク信号は、それぞれＴのアンテナ３２６ａ―３２６ｔから送信されてもよい。
【００２３】
各ＵＥ１２０では、１つ又は複数のアンテナ３５２が、ノードＢ１１０からダウンリンク信号を受け取ってもよい。各アンテナ３５２は、関連する復調器（ＤＥＭＯＤ）３５４に受信信号を供給してもよい。各復調器３５４は、サンプルを得るために、それの受信信号を調整してもよく（例えば、フィルタする、増幅する、ダウンコンバートする、及びデジタル化する）、また、受信シンボルを得るために、そのサンプルをさらに処理してもよい（例えば、ＯＦＤＭのために）。
【００２４】
単一のアンテナのＵＥ１２０ｘでは、データ検知器３５８ｘは、復調器３５４ｘからの受信シンボルに対してデータ検知（例えば、整合フィルタリング又は等化）を行ない、そして、送信データ・シンボルの評価である検知シンボルを提供してもよい。ＲＸデータ・プロセッサ３６０ｘは、データ・シンク（data sink）３６２ｘに供給されうる復号データを得るために、検知シンボルを処理（例えば、シンボル・デマップする、デインターリーブする、及び復号する）してもよい。マルチアンテナＵＥ１２０ｙでは、ＭＩＭＯ検知器３５８ｙは、復調器３５４ａ―３５４ｒからの受信シンボルに対してＭＩＭＯ検知を行ない、そして、検知シンボルを提供してもよい。ＲＸデータ・プロセッサ３６０ｙは、データ・シンク３６２ｙに供給されうる復号データを得るために検知シンボルを処理してもよい。
【００２５】
ＵＥ１２０ｘ及び１２０ｙは、ノードＢ１１０へのアップリンク上のデータを送信してもよい。各ＵＥ１２０では、データ・ソース３６８からのデータは、ＴＸデータ・プロセッサ３７０によって処理され、さらに、１つ又は複数の出力シンボル・ストリームを得るためにＴＸ  ＭＩＭＯプロセッサ３７２（適用可能な場合）によってさらに処理されてもよい（適用可能な場合には）。１つ又は複数の変調器３５４が、１つ又は複数の出力チップ・ストリームを得るために、１つ又は複数の出力シンボル・ストリームを処理してもよい（例えば、シングルキャリア周波数分割多重化（ＳＣ−ＦＤＭ）、等のために）。各変調器３５４は、関連するアンテナ３５２によって送信されうるアップリンク信号を得るために、それの出力チップ・ストリームをさらに調整してもよい。ノードＢ１１０では、ＵＥ１２０ｘ、ＵＥ１２０ｙ及び／又は他のＵＥからのアップリンク信号は、アンテナ３２６ａ−３２４ｔによって受信され、そしてそのＵＥｓによって送られたデータを回復するために、ＭＩＭＯ検知器３２８及びＲＸデータ・プロセッサ３３０によってさらに処理されてもよい。
【００２６】
コントローラ／プロセッサ３４０、３８０ｘ及び３８０ｙは、ノードＢ１１０とＵＥ１２０ｘ及び１２０ｙの動作をそれぞれ指図してもよい。メモリ３４２、３８２ｘ及び３８２ｙは、ノードＢ１１０とＵＥ１２０ｘ及び１２０ｙに対するデータ及びプログラム符号をそれぞれ格納してもよい。スケジューラ３４４は、ダウンリンク及び／又はアップリンク送信のためにＵＥｓをスケジュールし、そして、スケジュールされたＵＥｓにリソースの割り当てを提供してもよい。
【００２７】
一般に、複数の（Ｓの）データ・ストリームを含むＭＩＭＯ送信は、任意のリソース上で送られてもよい。そのリソースは、時間によって（ほとんどのシステムで）、周波数によって（例えば、ＯＦＤＭＡ及びＳＣ−ＦＤＭＡシステムで）、符号によって（例えば、ＣＤＭＡシステムで）、他の量によって、又はそれらの任意の組合せによって定量化されてもよい。その複数のデータ・ストリームは、同じリソース上で送信されるので、これらのデータ・ストリームが受信局で空間的に分離可能であるという仮定がなされてもよい。しかし、例えば、利用可能なランク情報が古くなっているか又は正しくないため及び／又は他の理由により、データ・ストリームが空間的に分離可能でないかもしれない場合がありうる。そのような場合には、受信局がデータ・ストリームを識別することを可能にする送信構造を有することが望ましいかもしれない。
【００２８】
１つの態様では、ＭＩＭＯ送信における各データ・ストリームは、そのデータ・ストリームのための送信局によるチャネル符号化の後に、スクランブリング符号で個々にスクランブルされてもよい。ＭＩＭＯ送信におけるＳのデータ・ストリームは、Ｓの異なるスクランブリング符号でスクランブルされてもよい。スクランブリング符号は、擬似乱数（ＰＮ）シーケンス又は他のあるタイプの符号又はシーケンスであってもよい。そのＳのスクランブリング符号は、互いに対して擬似ランダムであってもよい。所与のデータ・ストリームを受け取るように指定された受信局は、そのデータ・ストリームに対して使用されるスクランブリング符号による相補的なスクランブリングを行なってもよい。受信局は、所望のデータ・ストリームを隔離することができ、他のデータ・ストリームは擬似ランダム・ノイズとして現れるであろう。従って、各データ・ストリームは、そのデータ・ストリームに対するスクランブリング符号に基づいて、それの受信局によって識別されることができる。
【００２９】
図４Ａは、図３のＵＥ１２０ｙにおけるＴＸデータ・プロセッサ３７０ｙに対しても使用できるノードＢ１１０におけるＴＸデータ・プロセッサ３２０のデザインのブロック図である。このデザインでは、ＲＸデータ・プロセッサ３２０は、ＭＩＭＯ送信のために並列に送られるＳのデータ・ストリームに対するＳの処理セクション４１０ａ−４１０ｓを含む、ただし、Ｓは１より大きい任意の整数であってもよい。各処理セクション４１０は、１つのデータ・ストリームを受け取りかつ処理し、そして対応するデータ・シンボル・ストリームを提供してもよい。
【００３０】
１つ又は複数のデータ・ブロックを搬送しうるデータ・ストリーム１に対する処理セクション４１０ａ内で、チャネル符号器４２０ａは、データ・ストリームの各データ・ブロックを符号化し、そして対応するコードワードを提供する。チャンネル符号器４２０ａは、ＦＥＣ符号器４２２ａ及びレート・マッチング・ユニット４２４ａを含んでもよい。ＦＥＣ符号器４２２ａは、データ・ストリーム１に対して選択された符号化スキームに従って各データ・ブロックを符号化してもよい。選択された符号化スキームは、畳み込み符号、ターボ符号、低密度パリティチェック（ＬＤＰＣ）符号、巡回冗長検査（ＣＲＣ）符号、ブロック符号、ノーコーデイング(no coding)、等を含んでもよい。ＦＥＣ符号器４２２ａは、１／Ｑの固定符号レートを有していてもよく、またＮの情報ビットのデータ・ブロックを符号化し、Ｑ・Ｎ符号ビットの符号化されたブロックを提供してもよい。ユニット４２４ａは、所望の数の符号ビットを得るためにＦＥＣ符号器４２２ａによって生成された符号ビットに対してレート・マッチングを行なってもよい。符号ビットの所望の数が生成された符号ビットの数より小さい場合には、ユニット４２４ａは、いくつかの符号ビットをパンクチュア（又は削除）してもよい。あるいは、符号ビットの所望の数が生成された符号ビットの数より大きい場合には、ユニット４２４ａは、いくつかの符号ビットを繰り返してもよい。一般に、チャネル符号器４２０ａは、データ・ブロックに対してＦＥＣ符号化だけ、又はレート・マッチング（例えば、繰り返し）だけ、又はＦＥＣ符号化及びレート・マッチング（例えば、パンクチュアリング又は繰り返し）の両方を行ない、そしてコードワードを提供してもよい。チャンネル符号器４２０ａは、符号化されたストリームに１つ又は複数のコードワードを提供する。
【００３１】
スクランブラ４３０ａは、チャネル符号器からの符号化されたストリームをデータ・ストリーム１に対するスクランブリング符号でスクランブルし、そしてスクランブル化されたストリームを提供することができる。スクランブリング符号は、種々の態様で生成されてもよい。１つのデザインでは、線形フィードバック・シフトレジスタ（ＬＦＳＲ）はＰＮシーケンスのための生成多項式をインプリメントするために使用されてもよい。ＬＦＳＲの出力は、スクランブリング符号として使用されてもよい擬似ランダム・ビット・シーケンスである。Ｓのデータ・ストリームのためのＳのスクランブリング符号は、ＬＦＳＲに対するＳの異なるシード値で得られうるＳの異なるＰＮシーケンス（その場合には、ＳのＰＮシーケンスは異なるオフセットにおいて本質的に１つのＰＮシーケンスである）又はＳの異なる生成多項式であってもよい。Ｓのスクランブリング符号はまた、他の態様で生成されてもよい。いかなる場合でも、スクランブリング符号Ｓは、互いに関して擬似ランダムであってもよい。スクランブラ４３０ａは、スクランブルされたビットを得るために、符号化されたストリームの各コード・ビットにスクランブリング符号の１つのビットを掛けることにより、符号化されたストリームをスクランブルしてもよい。
【００３２】
チャネル・インターリーバ４４０ａは、スクランブラ４３０ａ（インタリーブ）からスクランブルされたストリームを受け取り、インターリービング・スキームに基づいて、スクランブルされたビットをインターリーブ又はリオーダ（reorder）し、そしてインターリーブされたストリームを提供してもよい。チャネル・インターリービングは、各データ・ストリームに対して別々に行なわれもよく（図４Ａに示されているように）、あるいは、いくつかの又はすべてのＳデータ・ストリームを横切って行なわれてもよい（図４Ａには示されてない）。チャネル・インターリービングはまた省略されてもよい。シンボル・マッパ４５０ａは、チャネル・インターリーバ４４０ａからインターリーブされたビットを受け取り、そして、データ・ストリーム１に対して選択された変調スキームに基づいて、インターリーブされたビットをデータ・シンボルにマッピング（map）してもよい。シンボル・マッピングは、（ｉ）Ｂ―ビット値を形成するためにＢのビットの組をグループ化すること、ただしＢ≧１、及び（ｉｉ）選択された変調スキームに対する信号点配置（signal constellation）におけるポイントの１つに各Ｂ−ビット値をマッピングすることによって行なわれてもよい。各マッピングされた信号ポイントは、データ・シンボルの複素値である。シンボル・マッパ４５０ａは、データ・ストリーム１に対するデータ・シンボル・ストリームを供給する。
【００３３】
ＴＸデータ・プロセッサ３２０内の各残りの処理セクション４１０も同様に、それのデータ・ストリームを処理し、そして対応するデータ・シンボル・ストリームを提供してもよい。処理セクション４１０ａ―４１０ｓは、ＭＩＭＯプロセッサ３２２にＳのデータ・シンボル・ストリームを供給してもよい。
【００３４】
ＴＸ ＭＩＭＯプロセッサ３２２は、種々の態様でＳのデータ・シンボル・ストリームに対して空間処理を行なってもよい。直接ＭＩＭＯマッピングについては、ＴＸ ＭＩＭＯプロセッサ３２２は、Ｓのデータ・シンボル・ストリームをＳの送信アンテナに、各送信アンテナに対し１つのデータ・シンボル・ストリームずつ、マッピングしてもよい。この場合、各データ・ストリームは、本質的に、異なる送信アンテナによって送られる。前符号化については、ＴＸ ＭＩＭＯプロセッサ３２２は、各データ・シンボルがすべてのＴの送信アンテナから送られるように、Ｓのストリームのデータ・シンボルに前符号化マトリックスを掛けてもよい。この場合、各データ・ストリームは、本質的に、前符号化マトリックスの１つ列によって形成された異なる「仮想の」アンテナ及びＴの送信アンテナによって送られる。ＴＸ ＭＩＭＯプロセッサ３２２はまた、他の態様でＳのデータ・シンボル・ストリームに対して空間処理を行なってもよい。
【００３５】
ノードＢ１１０は、ダウンリンクＳＤＭＡのために、Ｓのデータ・ストリームに対して空間処理を合同で行なってもよい。各ＵＥ１２０は、アップリンクＳＤＭＡのために、それのデータ・ストリームに対して空間の処理を個々に行なってもよい。
【００３６】
図４Ｂは、図３のシングル・アンテナＵＥ１２０ｘにおけるＴＸデータ・プロセッサ３７０ｘの１つのデザインのブロック図を示す。ＴＸデータ・プロセッサ３７０ｘは、アップリンク上のＭＩＭＯ送信のために１つ又は複数の他のＵＥｓから１つ又は複数の他のデータ・ストリームと同時に送られるデータ・ストリームを受け取ってもよい。ＴＸデータ・プロセッサ３７０ｘは、データ・ストリームを処理し、そして、対応するデータ・シンボル・ストリームを提供してもよい。ＴＸデータ・プロセッサ３７０ｘの内では、チャネル符号器４２０ｘは、データ・ストリーム中の各データ・ブロックを符号化し、そして、対応するコードワードを提供してもよい。チャネル符号器４２０ｘの内では、ＦＥＣ符号器４２２ｘは、選択された符号化スキームに従って各データ・ブロックを符号化してもよく、そして、レート・マッチング・ユニット４２４ｘは、所望の数の符号ビットを得るために、いくつかの符号ビットをパンクチャするか又はリピートしてもよい。スクランブラ４３０ｘは、チャネル符号器４２０ｘから符号化されたストリームをデータ・ストリームに対するスクランブリング符号でスクランブルし、そして、スクランブルされたストリームを提供してもよい。チャネル・インターリーバ４４０ｘは、インターリービング・スキームに基づいて、スクランブルされたストリームのビットをインターリーブしてもよい。シンボル・マッパ４５０ｘは、選択された変調スキームに基づいて、インターリーブされたビットをデータ・シンボルにマッピングし、そしてデータ・シンボル・ストリームを提供してもよい。
【００３７】
図４Ａ及び４Ｂは、チャネル符号化の後でスクランブリングが行なわれるデザインを示す。一般に、スクランブリングは、チャネル符号化の後に種々の位置で行なわれてもよい。例えば、スクランブリングは、シンボル・マッピングなどの後のチャネル・インターリービングの後に行なわれてもよい。
【００３８】
図５Ａは、図３のノードＢ１１０におけるＲＸデータ・プロセッサ３３０として使用されてもよいＵＥ１２０ｙにおけるＲＸデータ・プロセッサ３６０ｙの１つのデザインのブロック図を示す。ＲＸデータ・プロセッサ３６０ｙは、ＭＩＭＯ送信で送られるＳのデータ・ストリームのずべて又は１つのサブセットを回復してもよい。簡単のために、図５Ａは、ＭＩＭＯ送信で送られたＳのデータ・ストリームのすべてを処理するＲＸデータ・プロセッサ３６０ｙを示す。
【００３９】
ＭＩＭＯ検知器３５８ｙは、Ｒの復調器３５４ａ―３５４ｒからのＲの受信シンボル・ストリームを得てもよい。ＭＩＭＯ検知器３５８ｙは、最小平均二乗誤差（ＭＭＳＥ）、ゼロ・フォーシング（zero-forcing）又はいくつかの他の技術に基づいて、Ｒの受信シンボル・ストリームに対するＭＩＭＯ検知を行なってもよい。ＭＩＭＯ検知器３５８ｙは、Ｓのデータ・シンボル・ストリームの評価であるＳの検知シンボル・ストリームを提供してもよい。
【００４０】
図５Ａに示されている設計では、ＲＸデータ・プロセッサ３６０ｙは、Ｓのデータ・ストリームに対するＳの処理セクション５１０ａ―５１０ｓを含む。各処理セクション５１０は、１つの検知されたシンボル・ストリームを受け取って処理し、そして、対応する復号されたデータ・ストリームを提供してもよい。データ・ストリーム１に対する処理セクション５１０ａの内では、シンボル・デマッパ５２０ａは、それの検知されたシンボル・ストリームに対してシンボル・デマッピングを行なってもよい。シンボル・デマッパ５２０ａは、データ・ストリーム１に使用される検知されたシンボル及び変調スキームに基づいて、データ・ストリーム１に対して送信された符号ビットに対する対数尤度比（ＬＬＲｓ）を計算してもよい。チャネル・デインターリーバ５３０ａは、図４ＡのノードＢ１１０おけるチャネル・インターリーバ４４０ａによるインターリービングと相補的な態様でＬＬＲｓをデインターリーブしてもよい。デスクランブラ５４０ａは、データ・ストリーム１に使用されたスクランブリング符号で、デインターリーブされたＬＬＲｓをデスクランブルし、そして、デスクランブルされたストリームを提供する。
【００４１】
チャネル復号器５５０ａは、デスクランブルされたストリームのＬＬＲを復号し、そして、復号されたデータ・ストリームに１つ又は複数の復号されたデータ・ブロックを提供してもよい。チャンネル復号器５５０ａは、デレート・マッチング・ユニット５５２ａ及びＦＥＣ復号器５５４ａを含んもよい。ユニット５５２ａは、図４ＡのノードＢ１１０におけるレート・マッチング・ユニット４２４ａによって削除された符号ビットに対する抹消を挿入してもよい。抹消は、符号ビットに対して送信される「０」又は「１」の等尤度（equal likelihood）を示す０のＬＬＲ値であってもよい。ユニット５５２ａはまた、レート・マッチング・ユニット４２４ａによってリピートされた符号ビットに対するＬＬＲｓを組み合わせてもよい。ユニット５５２ａは、ノードＢ１１０におけるＦＥＣ符号器４２２ａによって生成されたすべての符号ビットに対してＬＬＲｓを供給してもよい。ＦＥＣ復号器５５４ａは、ＦＥＣ符号器４２２ａによって行なわれた符号化と相補的な態様でユニット５５２ａからのＬＬＲｓに対して復号を行なってもよい。例えば、ＦＥＣ符号器４２２ａによってターボ又は畳み込み符号化がそれぞれおこなわれる場合には、ＦＥＣ復号器５５４ａは、ターボ又はビタビ復号を行なってもよい。
【００４２】
ＲＸデータ・プロセッサ３６０ｙの内の各残りの処理セクション５１０は、同様に、それの検知されたシンボル・ストリームを処理し、そして、対応する復号されたデータ・ストリームを提供してもよい。処理セクション５１０ａ―５１０ｓは、ＭＩＭＯ送信で送られたＳのデータ・ストリームの評価であるＳの復号されたデータ・ストリームを提供してもよい。
【００４３】
ＭＩＭＯ検知器３５８ｙは、ＭＩＭＯ送信のために並列で送られたＳのデータ・ストリームを空間的に分離することができてもよい。この場合、各データ・ストリームに対する検知されたシンボル・ストリームは、他のデータ・ストリームからの干渉をほとんど観察しないかもしれない。しかし、Ｓのデータ・ストリームは、不十分な空間的分離をしているかもしれず、その場合には、各データ・ストリームの検知されたシンボル・ストリームは、他方のデータ・ストリームからのより多くの干渉を観察するかもしれない。各デスクランブラ５４０によるデスクランブリングは、回復されるデータ・ストリームに対するチャネル復号を改善しうる他のデータ・ストリームからの干渉をランダム化（randomize）してもよい。
【００４４】
ＭＩＭＯ検知器３５８ｙ及びＲＸデータ・プロセッサ３６０ｙはまた、逐次干渉除去（successive interference cancellation）を行なってもよい。この場合、ＭＩＭＯ検知器３５８ｙは、最初に受信シンボル・ストリームに対するＭＩＭＯ検知を行ない、そして、１つのデータ・ストリームに対して１つの検知されたシンボル・ストリームを提供してもよい。上述のように、ＲＸデータ・プロセッサ３６０ｙは、検知されたシンボル・ストリームを処理し、そして、復号されたデータ・ストリームを提供してもよい。復号されたデータ・ストリームからの干渉は、評価され、そして、受信シンボル・ストリームから差し引かれてもよい。ＭＩＭＯ検知及びＲＸデータ処理は、次のデータ・ストリームに対してリピートされてもよい。各データ・ストリームに対するスクランブリング及びデスクランブリングは、例えば、所定のストリームにおける符号化されたビットのリピートが存在する場合でさえ、ストリーム間干渉はホワイト（white）であるようにすることによって、逐次干渉除去のための性能を改善することができる。
【００４５】
図５Ｂは、ＵＥ１２０ｘにおけるＲＸデータ・プロセッサ３６０ｘのデザインのブロック図を示す。ＲＸデータ・プロセッサ３６０ｘは、データ検知器３５８ｘから１つのデータ・ストリームのための検知されたシンボル・ストリームを受け取ってもよい。このデータ・ストリームは、複数のＵＥｓへのＭＩＭＯ送信のために並列で送られた複数のデータ・ストリームのうちの１つであてもよい。ＲＸデータ・プロセッサ３６０ｘ内では、シンボル・デマッパ５２０ｘは、検知されたシンボル・ストリームに対してシンボル・デマッピングを行ない、そして、送信された符号ビットに対してＬＬＲｓを供給してもよい。チャネル・デインターリーバ５３０ｘは、ＬＬＲｓをデインターリーブしてもよい。デスクランブラ５４０ｘは、データ・ストリームに使用されたスクランブリング符号で、デインターリーブされたＬＬＲｓをデスクランブルし、そして、デスクランブルされたストリームを提供してもよい。チャネル復号器５５０ｘは、デスクランブルされたストリームのＬＬＲｓを復号し、そして、復号されたデータ・ストリームを提供してもよい。チャネル復号器５５０ｘ内では、デレート・マッチング・ユニット５５２ｘは、削除された符号ビットに対する削除（erasures）を挿入し、そして、リピートされた符号ビットに対するＬＬＲを組み合わせてもよい。ＦＥＣ復号器５５４ｘは、ユニット５５２ｘからのＬＬＲｓに対して復号を行ない、そして、各コードワードに対して復号されたデータ・ブロックを供給してもよい。
【００４６】
図５Ａ及び５Ｂは、チャネル復号の直前に、デスクランブリングが行なわれるデザインを示す。一般に、デスクランブリングは、送信局でのスクランブリングにより決定された位置で行なわれてもよい。例えば、デスクランブリングは、シンボル・デマッピングなどの前のチャネル・デインターリービングの前に行なわれてもよい。
【００４７】
一般に、受信局が相補的なデスクランブリングを行なうことによってデータ・ストリームを分離できるように、スクランブリングは、各データ・ストリームに対して独立に行なわれてもよい。スクランブリングは、異なるデータ・ストリームが同一のデータを搬送する場合であっても、識別できるようにする。受信局において他のデータ・ストリームからのランダム化した干渉（randomized interference）がチャネル復号器に供給されうるように、スクランブリングは、チャネル符号化の後に行なわれてもよい。
【００４８】
ＭＩＭＯ送信で送られた複数のデータ・ストリームを識別できることは、種々の理由で有益でありうる。第１に、受信局は、複数のデータ・ストリームが種々の理由で空間的に分離可能でないかもしれないシナリオにおいて、所与のデータ・ストリームを回復することができてもよい。第２に、線形抑制（linear suppression）（例えば、ＭＭＳＥ又はゼロ・フォーシング）又は非線形抑制（non-linear suppression）（例えば、逐次干渉除去）を備えたＭＩＭＯ検知が改善されてもよい。第３に、相関データを搬送する１つ又は複数のデータ・ストリームが、干渉をランダム化しかつ復号性能を改善する、スクランブリング及びでデスクランブリングによってランダム化されてもよい。例えば、データ・ストリームの一部は、レート・マッチングにより繰り返されてもよく、そして、データ・ストリームは、当初の部分又はリピートされた部分に相関データを含むであろう。スクランブリングは、相関データをランダム化するであろう。他の例として、複数のＵＥｓは、ＭＩＭＯ送信で同じ又は同様のデータ（例えば、ヌルフレーム又は無音挿入記述子（ＳＩＤ）フレーム）を送ってもよい。スクランブリングは、これらのＵＥｓからのデータをランダム化するであろう。
【００４９】
図６は、複数のデータ・ストリームを送信するためのプロセス６００の１つのデザインを示す。プロセス６００は、ノードＢ、ＵＥあるいは他のあるエンテイテイによって行なわれてもよい。チャンネル符号化は、ＭＩＭＯ送信のために同時に送られる複数のデータ・ストリームに対して行なわれてもよい（ブロック６１２）。チャネル符号化は、ＦＥＣ符号化及び／又はレート・マッチングを符号化を含んでもよく、また、対応する符号化されたストリームを得るために各データ・ストリームに対して独立に行なわれてもよい。スクランブリングは、チャネル符号化の後に、複数のデータ・ストリームに対して複数のスクランブリング符号で行なわれてもよい（ブロック６１４）。各符号化されたストリームは、対応するスクランブルされたストリームを得るために、異なるスクランブリング符号でスクランブルされてもよい。
【００５０】
チャネル・インターリービングは、チャネル符号化の後に、そして、スクランブリングの前又は後に、複数のデータ・ストリームに対して行なわれてもよい（ブロック６１６）。チャネル・インターリービングは省略されてもよい。シンボル・マッピングは、チャネル・インターリービング（行なわれた場合には）の後に、そして、スクランブリングの前又は後に、複数のデータ・ストリームに対して行なわれてもよい（ブロック６１８）。空間的処理は、シンボル・マッピング及びスクランブリングの後に複数のデータ・ストリームに対して行なわれてもよい（ブロック６２０）。
【００５１】
図７は、複数のデータ・ストリームを送信するための装置７００のデザインを示す。装置７００は、ＭＩＭＯ送信のために同時に送られる複数のデータ・ストリームに対してチャネル符号化を行なうための手段（モジュール７１２）、チャネル符号化の後に複数のスクランブリング符号での複数のデータ・ストリームに対してスクランブリングを行なうための手段（モジュール７１４）、チャネル符号化の後に、そして、スクランブリングの前又は後に、複数のデータ・ストリームに対してチャネル・インターリービングを行なうための手段（モジュール７１６）、チャネル・インターリービングの後に、そして、スクランブリングの前又は後に、複数のデータ・ストリームに対してシンボル・マッピングを行なうための手段（モジュール７１８）、及びシンボル・マッピング及びスクランブリングの後に複数のデータ・ストリームに対して空間的処理を行なうための手段（モジュール７２０）を含む。
【００５２】
図８は、１つのデータ・ストリームを送信するためのプロセス８００の１つのデザインを示す。プロセス８００は、ＵＥ、ノードＢあるいは他のあるエンテイテイによって行なわれてもよい。チャンネル符号化は、ＭＩＭＯ送信のために少なくとも１つの他の局によって送られている少なくとも１つの他のデータ・ストリームと同時に第１の局によって送られているデータ・ストリームに対して行なわれてもよい（ブロック８１２）。ブロック８１２については、ＦＥＣ符号化及び／又はレート・マッチングは、符号化されたストリームを得るために、データ・ストリームに対して行なわれてもよい。スクランブリングは、チャネル符号化の後に、スクランブリング符号でデータ・ストリームに対して行なわれてもよい（ブロック８１４）。スクランブリング符号は、少なくとも１つの他のデータ・ストリームに対して少なくとも１つの他の局によって使用される少なくとも１つの他のスクランブリング符号とは異なっていてもよい。チャンネル・インターリービングは、チャネル符号化の後にデータ・ストリームに対して行なわれてもよい（ブロック８１６）。シンボル・マッピングは、チャネル・インターリービングの後に、データ・ストリームに対して行なわれてもよい（ブロック８１８）。
【００５３】
図９は、１つのデータ・ストリームを送信するための装置９００の１つのデザインを示す。装置９００は、ＭＩＭＯ送信（モジュール９１２）、ＭＩＭＯ送信のために少なくとも１つの他の局によって送られる少なくとも１つの他のデータ・ストリームと同時に第１の局によって送られるデータ・ストリームに対するチャネル符号化を行なうための手段（モジュール９１２）、チャネル符号化の後にスクランブリング符号でのデータ・ストリームに対するスクランブリングを行なうための手段（モジュール９１４）、チャネル符号化の後にデータ・ストリームに対してチャネル・インターリービングを行なうための手段（モジュール９１６）、及びチャネル・インターリービングの後にデータ・ストリームに対してシンボル・マッピングを行なうための手段（モジュール９１８）を含む。
【００５４】
図１０は、複数のデータ・ストリームを受け取るためのプロセス１０００の１つのデザインを示す。プロセス１０００は、ノードＢ、ＵＥあるいはある他のエンテイテイによって行なわれてもよい。複数のデータ・ストリームを含むＭＩＭＯ送信が受け取られてもよい（ブロック１０１２）。ＭＩＭＯ検知は、複数のデータ・ストリームに対する複数の検知されたシンボル・ストリームを得るために、複数の受信シンボル・ストリームに対して行なわれてもよい（ブロック１０１４）。シンボル・デマッピングは、複数の検知シンボル・ストリームに対して行なわれてもよい（ブロック１０１６）。チャンネル・デインターリービングは、シンボル・デマッピングの後に複数のデータ・ストリームに対して行なわれてもよい（ブロック１０１８）。デスクランブリングは、複数のスクランブリング符号で複数のデータ・ストリームに対して、例えば、対応するデスクランブルサレタストリームを得るために異なるスクランブリング符号で各データ・ストリームに対して行なわれてもよい（ブロック１０２０）。チャンネル復号は、デスクランブリングの後に、複数のデータ・ストリームに対して行なわれてもよい（ブロック１０２２）。例えば、ＦＥＣ復号及び／又はデレート・マッチングは、対応する復号されたデータ・ストリームを得るために、各デスクランブルされたストリームに対して行なわれてもよい。
【００５５】
図１１は、複数のデータ・ストリームを受け取るための装置１１００の１つのデザインを示す。装置１１００は、複数のデータ・ストリームを含むＭＩＭＯ送信を受け取るための手段（モジュール１１１２）、複数のデータ・ストリームに対する複数の検知シンボル・ストリームを得るために、複数の受信シンボル・ストリームに対してＭＩＭＯ検知を行なうための手段（モジュール１１１４）、複数の検知シンボル・ストリームに対してシンボル・デマッピングを行なうための手段（モジュール１１１６）、シンボル・デマッピングの後に複数のデータ・ストリームに対してチャネル・デインターリービングを行なうための手段（モジュール１１１８）、複数のスクランブリング符号で複数のデータ・ストリームに対してデスクランブリングを行なうための手段（モジュール１１２０）、及びデスクランブリングの後に複数のデータ・ストリームに対してチャネル復号を行なうための手段（モジュール１１２２）を含む。
【００５６】
図１２は、１つのデータ・ストリームを受け取るためのプロセス１２００の１つのデザインを示す。プロセス１２００は、ノードＢ、ＵＥあるいはある他のエンテイテイによって行なわれてもよい。デスクランブリングは、スクランブリング符号でデータ・ストリームに対して行なわれてもよく、そのデータ・ストリームは、ＭＩＭＯ送信のために（例えば、複数の局に）同時に送られた複数のデータ・ストリームの１つであり、複数のデータ・ストリームは、異なるスクランブリング符号でスクランブルされる（ブロック１２１２）。チャンネル復号（例えば、ＦＥＣ復号及び／又はデーレート・マッチング）は、デスクランブリングの後にデータ・ストリームに対して行なわれてもよい。シンボル・デマッピングは、チャネル復号の前に、データ・ストリームに対して行なわれてもよい。チャネル・デインターリービングは、シンボル・デマッピングの後に、そして、チャネル復号の前に、データ・ストリームに対して行なわれてもよい。
【００５７】
図１３は、１つのデータ・ストリームを受け取るための装置１３００の１つのデザインを示す。装置１３００は、スクランブリング符号でデータ・ストリームに対するデスクランブリングを行なうための手段、データ・ストリームはＭＩＭＯ送信のために同時に送られる複数のデータ・ストリームの１つであり、複数のデータ・ストリームは異なるスクランブリング符号でスクランブルされる（モジュール１３１２）、及びデスクランブリングの後にデータ・ストリームに対してチャネル復号を行なうための手段（モジュール１３１４）を含む。
【００５８】
図７、９、１１及び１３におけるモジュールは、プロセッサ、エレクトロニクス・デバイス、ハードウェア・デバイス、エレクトロニクス・コンポーネント、論理回路、メモリ、等、又はそれらの任意の組合せを含んでもよい。
【００５９】
当業者は、情報及び信号が、種々の異なる技術及び技法のうちの任意のものを用いて表されてもよいことを理解するであろう。例えば、上記の説明の全体にわたって参照されうるデータ、命令、コマンド、情報、信号、ビット、シンボル及びチップは、電圧、電流、電磁波、磁界又は粒子、光学場又は粒子、あるいはそれらの任意の組合せによって表わされてもよい。
【００６０】
当業者は、ここにける開示に関連して記述された種々の例示的な論理ブロック、モジュール、回路、及びアルゴリズム・ステップは、両方の電子ハードウェア、コンピュータ・ソフトウェアあるいは両者の組合せとしてインプリメントされうることをさらに認識するであろう。ハードウエア及びソフトウエアのこの互換可能性を明瞭に例証するために、種々の例示的なコンポーネント、ブロック、モジュール、回路、及びステップがそれらの機能性について一般的に上述された。このような機能性がハードウエア又はソフトウエアとしてインプリメントされるかどうかは、特定の用途及び全体のシステムに課せられたデザイン制約による。当業者は、記述された機能性を、各特定の用途に対して種々の方法で、インプルメントしてもよいが、そのようなインプルメンテーション・決定は、本開示の範囲からの逸脱を生じさせるとして解釈されるべきではない。
【００６１】
本開示に関連してここに記述された種々の例示的な論理ブロック、モジュール、及び回路は、ここに記述された機能を行なうように設計された汎用プロセッサ、デジタル信号プロセサ（ＤＳＰ）、特定用途向け集積回路（ＡＳＩＣ）、フィールドプログラム可能なゲートアレイ（ＦＰＧＡ）あるいは他のプログラム可能な論理回路、デイスクリート・ゲート又はトランジスタ・ロジック、デイスクリート・ハードウエア・コンポーネント、又はそれらの任意の組合せでインプルメント又は実行されうる。汎用プロセッサは、マイクロプロセッサであってもよいが、代案では、プロセッサは任意の従来のプロセッサ、コントローラ、マイクロコントローラあるいはステート・マシンであってもよい。プロセッサはまた、コンピューティングデバイスの組合せ、例えば、ＤＳＰとマイクロプロセッサの組合せ、複数のマイクロプロセッサ、ＤＳＰコアと関連した１つ又は複数のマイクロプロセッサあるいは他のそのような構成としてインプリメントされてもよい。
【００６２】
本開示に関連してここに記述された方法又はアルゴリズムのステップは、ハードウェアで、プロセッサによって実行されるソフトウェア・モジュールで、あるいはその２つの組合せで直接具体化されてもよい。ソフトウェア・モジュールは、ＲＡＭメモリ、フラッシュ・メモリー、ＲＯＭメモリ、ＥＰＲＯＭメモリ、ＥＥＰＲＯＭメモリ、レジスタ、ハードディスク、リムーバブル・ディスク、ＣＤ−ＲＯＭあるいは任意の他の形式の技術的に知られた記憶媒体に存在してもよい。例示的な記憶媒体は、プロセッサに結合されて、プロセッサがその記憶媒体から情報を読取ることができ、かつ、その記憶媒体に情報を書き込むことができるようになされる。代案では、記憶媒体はプロセッサと一体であってもよい。プロセッサと記憶媒体はＡＳＩＣに存在してもよい。ＡＳＩＣはユーザ端末に存在してもよい。代案では、プロセッサと記憶媒体は、ユーザ端末の個別のコンポーネントとして存在してもよい。
【００６３】
１つ又は複数の例示的なデザインでは、記述された機能は、ハードウェア、ソフトウェア、ファームウェアあるいはそれらの任意の組合せでインプリメントされてもよい。ソフトウェアでインプリメントされた場合には、機能は、コンピュータ読取り可能媒体上の１つ又は複数の命令又は符号として格納されあるいは送信されてもよい。コンピュータ読取り可能媒体は、コンピュータ記憶媒体及びある場所から他の場所へのコンピュータ・プログラムの転送を促進する任意の媒体を含む通信媒体の両方を含む。記憶媒体は、多目的又は専用コンピュータによってアクセスすることができる任意の利用可能な媒体であってもよい。限定ではなくて例として、そのようなコンピュータ読取り可能媒体は、ＲＡＭ、ＲＯＭ、ＥＥＰＲＯＭ、ＣＤ−ＲＯＭ又は他の光ディスク記憶装置、磁気ディスク記憶装置あるいは他の磁気記憶装置、あるいは、命令又はデータ構造の形式で所望のプログラム符号手段を搬送又は格納するために使用できかつ汎用又は専用コンピュータあるいは汎用又は専用プロセッサによってアクセスできる任意の他の媒体を含むことができる。また、任意の接続がコンピュータ読取り可能媒体と適切に称せられる。例えば、同軸ケーブル、光ファイバケーブル、撚り対線、デジタル加入者線（ＤＳＬ）あるいは赤外線、無線及びマイクロ波のような無線技術を使用して、ソフトウェアがウェブサイト、サーバあるいは他の遠隔送信装置から送信される場合には、同軸ケーブル、光ファイバケーブル、撚り対線、ＤＳＬあるいは赤外線、無線及びマイクロ波のような無線技術は、媒体の定義に含まれる。ここに使用されるディスク（ｄisk and disc）は、コンパクト・ディスク（ＣＤ）、レーザーディスク（登録商標）、光ディスク、ディジタル・バーサタイル・ディスク（ＤＶＤ）、フロッピー（登録商標）ディスク及びブルーレイ（登録商標）ディスクを含み、その場合、ディスク（disks）は通常、データを磁気的に再生し、一方、ディスク（disｃs）はデータをレーザで光学的に再生する。上記のものの組合せもコンピュータ読取り可能媒体の範囲内で含まれるべきである。
【００６４】
本開示の前記の説明は、いかなる当業者でも本開示を実施又は使用することを可能にするために提供される。本開示に対する種々の修正が当業者には容易に明白になるであろうし、また、ここに定義された包括的な原理は、本開示の精神又は範囲から逸脱することなしに、他の変更に適用されてもよい。従って、本開示は、ここに記述された例及びデザインには限定されず、ここに開示された原理及び新規な特徴に一致する最も広い範囲を与えられるべきである。
【００６５】
本出願は、２００６年１１月６日に提出され、本譲受人に譲渡され、ここに参照として取り入れられた「ＭＩＭＯ動作におけるコードワード・レベル・スクランブリングのための方法及び装置」という名称の米国仮出願第６０／８６４，５８２号に対する優先権を主張する。
【図１】
2014053900.tif 000003
【図２Ａ】
2014053900.tif 000004
【図２Ｂ】
2014053900.tif 000005
【図２Ｃ】
2014053900.tif 000006
【図３】
2014053900.tif 000007
【図４Ａ】
2014053900.tif 000008
【図４Ｂ】
2014053900.tif 000009
【図５Ａ】
2014053900.tif 000010
【図５Ｂ】
2014053900.tif 000011
【図６】
2014053900.tif 000012
【図７】
2014053900.tif 000013
【図８】
2014053900.tif 000014
【図９】
2014053900.tif 000015
【図１０】
2014053900.tif 000016
【図１１】
2014053900.tif 000017
【図１２】
2014053900.tif 000018
【図１３】
2014053900.tif 000019
【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
複数の符号化されたデータ・ストリームを得るために、複数のユーザ装置（ＵＥ）に同時に送られる複数のデータ・ストリームに対してチャネル符号化を行ない、
複数のスクランブルされたデータ・ストリームを得るために、前記チャネル符号化の後に複数のスクランブリング符号で、前記複数の符号化されたデータ・ストリームのビットごとの掛け算により、前記複数の符号化されたデータ・ストリームに対してスクランブリングを行ない、なお、前記複数のスクランブリング符号は、複数の対応するシード値で同じ擬似ランダム・シーケンス生成器（ｇｅｎｅｒａｔｏｒ）を初期化することによって得られる複数の擬似ランダム・ビット・シーケンスに対応する、
前記複数のスクランブルされたデータ・ストリームをマルチプルインプット・マルチプルアウトプット（ＭＩＭＯ）送信で前記複数のユーザ装置に送る
ように構成される少なくとも１つのプロセッサと、
前記少なくとも１つのプロセッサに結合されたメモリと
を備える無線通信のための装置。
【請求項２】
前記少なくとも１つのプロセッサは、前記複数のスクランブルされたデータ・ストリームに対して空間処理を行なうように構成される請求項１の装置。
【請求項３】
前記少なくとも１つのプロセッサは、前記チャネル符号化の後にかつ前記スクランブリングの前又は後に、前記複数のデータ・ストリームに対してチャネル・インターリービングを行なうように構成される請求項１の装置。
【請求項４】
前記少なくとも１つのプロセッサは、前記チャネル符号化の後にかつ前記スクランブリングの前又は後に、前記複数のデータ・ストリームに対してシンボル・マッピングを行なうように構成される請求項１の装置。
【請求項５】
前記チャネル符号化は、前方誤り訂正（ＦＥＣ）符号化を含み、かつ、前記少なくとも１つのプロセッサは、対応する符号化されたデータ・ストリームを得るために各データ・ストリームに対してＦＥＣ符号化を行なうように構成される請求項１の装置。
【請求項６】
前記チャネル符号化はレート・マッチングを含み、かつ、前記少なくとも１つのプロセッサは、対応する符号化されたデータ・ストリームを得るために各データ・ストリームに対してレート・マッチングを行なうように構成される請求項１の装置。
【請求項７】
前記チャネル符号化は、前方誤り訂正（ＦＥＣ）符号化及びレート・マッチングを含み、かつ、前記少なくとも１つのプロセッサは、対応する符号化されたデータ・ストリームを得るために各データ・ストリームに対してＦＥＣ符号化及びレート・マッチングを行なうように構成される請求項１の装置。
【請求項８】
複数の符号化されたデータ・ストリームを得るために、複数のユーザ装置（ＵＥ）に同時に送られる複数のデータ・ストリームに対してチャネル符号化を行なうことと、
複数のスクランブルされたデータ・ストリームを得るために、前記チャネル符号化の後に複数のスクランブリング符号で、前記複数の符号化されたデータ・ストリームのビットごとの掛け算により、前記複数の符号化されたデータ・ストリームに対してスクランブリングを行なうことと、なお、前記複数のスクランブリング符号は、複数の対応するシード値で同じ擬似ランダム・シーケンス生成器（ｇｅｎｅｒａｔｏｒ）を初期化することによって得られる複数の擬似ランダム・ビット・シーケンスに対応する、
前記複数のスクランブルされたデータ・ストリームを前記複数のユーザ装置へのマルチプルインプット・マルチプルアウトプット（ＭＩＭＯ）送信で送ること
を備える無線通信のための方法。
【請求項９】
前記チャネル符号化を行なうことは、対応する符号化されたデータ・ストリームを得るために、各データ・ストリームに対して前方誤り訂正（ＦＥＣ）符号化、またはレート・マッチング、あるいはＦＥＣ符号化及びレート・マッチングの両方を行なうことを備える請求項８の方法。
【請求項１０】
前記チャネル符号化の後にかつ前記スクランブリングの前又は後に、前記複数のデータ・ストリームに対してシンボル・マッピングを行なうことと、
前記シンボル・マッピング及び前記スクランブリングの後に前記複数のデータ・ストリームに対して空間処理を行なうことと
をさらに備える請求項８の方法。
【請求項１１】
複数の符号化されたデータ・ストリームを得るために、複数のユーザ装置（ＵＥ）に同時に送られる複数のデータ・ストリームに対してチャネル符号化を行なうための手段と、
複数のスクランブルされたデータ・ストリームを得るために、前記チャネル符号化の後に、複数のスクランブリング符号で、前記複数の符号化されたデータ・ストリームのビットごとの掛け算により、前記複数の符号化されたデータ・ストリームに対してスクランブリングを行なうための手段と、なお、前記複数のスクランブリング符号は、複数の対応するシード値で同じ擬似ランダム・シーケンス生成器（ｇｅｎｅｒａｔｏｒ）を初期化することによって得られる複数の擬似ランダム・ビット・シーケンスに対応する、
前記複数のスクランブルされたデータ・ストリームを前記複数のユーザ装置へのマルチプルインプット・マルチプルアウトプット（ＭＩＭＯ）送信で送るための手段
を備える無線通信のための装置。
【請求項１２】
前記チャネル符号化を行なうための手段は、対応する符号化されたデータ・ストリームを得るために、各データ・ストリームに対して前方誤り訂正（ＦＥＣ）符号化、またはレート・マッチング、あるいはＦＥＣ符号化及びレート・マッチングの両方を行なうための手段を備える請求項１１の装置。
【請求項１３】
前記チャネル符号化の後にかつ前記スクランブリングの前又は後に、前記複数のデータ・ストリームに対してシンボル・マッピングを行なうための手段と、
前記シンボル・マッピング及び前記スクランブリングの後に、前記複数のデータ・ストリームに対して空間処理を行なうための手段
をさらに備える請求項１１の装置。
【請求項１４】
命令を備える機械読取り可能記憶媒体であって、前記命令は、機械によって実行される場合に、
複数の符号化されたデータ・ストリームを得るために、複数のユーザ装置（ＵＥ）に同時に送られる複数のデータ・ストリームに対してチャネル符号化を行なうことと、
複数のスクランブルされたデータ・ストリームを得るために、前記チャネル符号化の後に、複数のスクランブリング符号で、前記複数の符号化されたデータ・ストリームのビットごとの掛け算により、前記複数の符号化されたデータ・ストリームに対してスクランブリングを行なうことと、なお、前記複数のスクランブリング符号は、複数の対応するシード値で同じ擬似ランダム・シーケンス生成器（ｇｅｎｅｒａｔｏｒ）を初期化することによって得られる複数の擬似ランダム・ビット・シーケンスに対応する、
前記複数のスクランブルされたデータ・ストリームを前記複数のユーザ装置へのマルチプルインプット・マルチプルアウトプット（ＭＩＭＯ）送信で送ること
を含む動作を前記機械に行わせる、機械読取り可能記憶媒体。
【請求項１５】
基地局へのマルチプルインプット・マルチプルアウトプット（ＭＩＭＯ）送信で少なくとも１つの他のユーザ装置（ＵＥ）によって送られる少なくとも１つの他のデータ・ストリームと同時に第１のユーザ装置（ＵＥ）によって送られるデータ・ストリームに対してチャネル符号化を行ない、
スクランブルされたデータ・ストリームを得るために、前記チャネル符号化の後に、スクランブリング符号で、前記符号化されたデータ・ストリームのビットごとの掛け算により、前記符号化されたデータ・ストリームに対してスクランブリングを行ない、前記スクランブリング符号は、前記少なくとも１つの他のデータ・ストリームに対して前記少なくとも１つの他のＵＥによって用いられる少なくとも１つの他のスクランブリング符号とは異なり、なお、前記スクランブリング符号及び前記少なくとも１つの他のスクランブリング符号は、異なる対応するシード値で同じ擬似ランダム・シーケンス生成器（ｇｅｎｅｒａｔｏｒ）を初期化することによって得られる異なる擬似ランダム・ビット・シーケンスに対応する、
変調シンボルを得るために、前記スクランブルされたデータ・ストリームに対してシンボル・マッピングを行ない、
前記第１のＵＥに割り当てられるリソースに前記変調シンボルをマッピングする
ように構成される少なくとも１つのプロセッサと、
前記少なくとも１つのプロセッサに結合されたメモリと
を備える無線通信のための装置。
【請求項１６】
前記少なくとも１つのプロセッサは、前記符号化されたデータ・ストリームを得るために、前記データ・ストリームに対して前方誤り訂正（ＦＥＣ）符号化、またはレート・マッチング、あるいはＦＥＣ符号化及びレート・マッチングの両方を行ない、前記スクランブリング符号で前記符号化されたデータ・ストリームをスクランブルするように構成される請求項１５の装置。
【請求項１７】
前記少なくとも１つのプロセッサは、前記符号化されたデータ・ストリームに対してチャネル・インターリービングを行ない、前記チャネル・インターリービングの後に前記符号化されたデータ・ストリームに対してシンボル・マッピングを行なうように構成される請求項１５の装置。
【請求項１８】
複数のスクランブルされたデータ・ストリームを得るために複数のデータ・ストリームに対してシンボル・デマッピングを行うために、前記複数のデータ・ストリームを含むマルチプルインプット・マルチプルアウトプット（ＭＩＭＯ）送信を複数のユーザ装置（ＵＥ）から受け取り、
複数の符号化されたデータ・ストリームを得るために、前記シンボル・デマッピングの後に複数のスクランブリング符号で、前記複数のスクランブルされたデータ・ストリームのビットごとの掛け算により、前記複数のスクランブルされたデータ・ストリームに対してデスクランブリングを行ない、なお、前記複数のスクランブリング符号は、複数の対応するシード値で同じ擬似ランダム・シーケンス生成器（ｇｅｎｅｒａｔｏｒ）を初期化することによって得られる複数の擬似ランダム・ビット・シーケンスに対応する、
前記複数の符号化されたデータ・ストリームに対してチャネル復号を行なう
ように構成された少なくとも１つのプロセッサと、
前記少なくとも１つのプロセッサに結合されたメモリと
を備える無線通信のための装置。
【請求項１９】
前記少なくとも１つのプロセッサは、複数の検知されたシンボル・ストリームを得るために、複数の受信されたシンボル・ストリームに対してＭＩＭＯ検知を行なうように構成される請求項１８の装置。
【請求項２０】
前記少なくとも１つのプロセッサは、前記複数のＵＥに割り当てられるリソースから受信シンボルを得て、前記受信シンボルに基づいてシンボル・デマッピングを行なうように構成される請求項１８の装置。
【請求項２１】
前記少なくとも１つのプロセッサは、前記チャネル復号の前にかつ前記デスクランブリングの前又は後に、前記複数のデータ・ストリームに対してチャネル・デインターリービングを行なうように構成される請求項１８の装置。
【請求項２２】
前記チャネル復号は、前方誤り訂正（ＦＥＣ）復号を含み、前記少なくとも１つのプロセッサは、対応する復号されたデータ・ストリームを得るために、各符号化されたデータ・ストリームに対してＦＥＣ復号を行なうように構成される請求項１８の装置。
【請求項２３】
前記チャネル復号は、デレート・マッチングを含み、前記少なくとも１つのプロセッサは、対応する復号されたデータ・ストリームを得るために、各符号化されたデータ・ストリームに対してデレート・マッチングを行なうように構成される請求項１８の装置。
【請求項２４】
前記チャネル復号は、前方誤り訂正（ＦＥＣ）復号及びデレート・マッチングを備え、前記少なくとも１つのプロセッサは、対応する復号されたデータ・ストリームを得るために各符号化されたデータ・ストリームに対してＦＥＣ復号及びデレート・マッチングを行なうように構成される請求項１８の装置。
【請求項２５】
複数のデータ・ストリームを含むマルチプルインプット・マルチプルアウトプット（ＭＩＭＯ）送信を複数のユーザ装置（ＵＥ）から受け取ることと、
複数のスクランブルされたデータ・ストリームを得るために、前記複数のデータ・ストリームに対してシンボル・デマッピングを行うことと、
複数の符号化されたデータ・ストリームを得るために、前記シンボル・デマッピングの後に、複数のスクランブリング符号で、前記複数のスクランブルされたデータ・ストリームのビットごとの掛け算により、前記複数のスクランブルされたデータ・ストリームに対してデスクランブリングを行なうことと、なお、前記複数のスクランブリング符号は、複数の対応するシード値で同じ擬似ランダム・シーケンス生成器（ｇｅｎｅｒａｔｏｒ）を初期化することによって得られる複数の擬似ランダム・ビット・シーケンスに対応する、
前記複数の符号化されたデータ・ストリームに対してチャネル復号を行なうこと
を備える無線通信のための方法。
【請求項２６】
前記チャネル復号を行なうことは、対応する復号されたデータ・ストリームを得るために、各符号化されたデータ・ストリームに対して前方誤り訂正（ＦＥＣ）復号、またはデレート・マッチング、あるいはＦＥＣ復号及びデレート・マッチングの両方を行なうことを備える請求項２５の方法。
【請求項２７】
複数の検知されたシンボル・ストリームを得るために、複数の受信されたシンボル・ストリームに対してＭＩＭＯ検知を行なうことと、
前記デスクランブリングの前に、前記複数の検知されたシンボル・ストリームに対してシンボル・デマッピングを行なうこと
をさらに備える請求項２５の方法。
【請求項２８】
複数のデータ・ストリームを含むマルチプルインプット・マルチプルアウトプット（ＭＩＭＯ）送信を複数のユーザ装置（ＵＥ）から受け取るための手段と、
複数のスクランブルされたデータ・ストリームを得るために、前記複数のデータ・ストリームに対してシンボル・デマッピングを行うための手段と、
複数の符号化されたデータ・ストリームを得るために、前記シンボル・デマッピングの後に、複数のスクランブリング符号で、前記複数のスクランブルされたデータ・ストリームのビットごとの掛け算により、前記複数のスクランブルされたデータ・ストリームに対してデスクランブリングを行なうための手段と、なお、前記複数のスクランブリング符号は、複数の対応するシード値で同じ擬似ランダム・シーケンス生成器（ｇｅｎｅｒａｔｏｒ）を初期化することによって得られる複数の擬似ランダム・ビット・シーケンスに対応する、
前記複数の符号化されたデータ・ストリームに対してチャネル復号を行なうための手段と
を備える無線通信のための装置。
【請求項２９】
前記チャネル復号を行なうための手段は、対応する復号されたデータ・ストリームを得るために、各符号化されたデータ・ストリームに対して前方誤り訂正（ＦＥＣ）復号、またはデレート・マッチング、あるいはＦＥＣ復号及びデレート・マッチングの両方を行なうための手段を備える請求項２８の装置。
【請求項３０】
複数の検知されたシンボル・ストリームを得るために、複数の受信されたシンボル・ストリームに対してＭＩＭＯ検知を行なうための手段と、
前記デスクランブリングの前に、前記複数の検知されたシンボル・ストリームに対してシンボル・デマッピングを行なうための手段と
をさらに備える請求項２８の装置。
【請求項３１】
命令を備える機械読取り可能記憶媒体であって、前記命令は、機械によって実行される場合に、
複数のデータ・ストリームを含むマルチプルインプット・マルチプルアウトプット（ＭＩＭＯ）送信を複数のユーザ装置（ＵＥ）から受け取ることと、
複数のスクランブルされたデータ・ストリームを得るために、前記複数のデータ・ストリームに対してシンボル・デマッピングを行うことと、
複数の符号化されたデータ・ストリームを得るために、前記シンボル・デマッピングの後に、複数のスクランブリング符号で、前記複数のスクランブルされたデータ・ストリームのビットごとの掛け算により、前記複数のスクランブルされたデータ・ストリームに対してデスクランブリングを行なうことと、なお、前記複数のスクランブリング符号は、複数の対応するシード値で同じ擬似ランダム・シーケンス生成器（ｇｅｎｅｒａｔｏｒ）を初期化することによって得られる複数の擬似ランダム・ビット・シーケンスに対応する、
前記デスクランブリングの後に、前記複数の符号化されたデータ・ストリームに対してチャネル復号を行なうことと
を含む動作を前記機械に行わせる、機械読取り可能記憶媒体。
【請求項３２】
符号化されたデータ・ストリームを得るために、スクランブリング符号で、スクランブルされたデータ・ストリームのビットごとの掛け算により、前記スクランブルされたデータ・ストリームに対してデスクランブリングを行ない、
前記符号化されたデータ・ストリームに対してチャネル復号を行なう
ように構成される少なくとも１つのプロセッサであって、前記符号化されたデータ・ストリームは、複数のユーザ装置（ＵＥ）へのマルチプルインプット・マルチプルアウトプット（ＭＩＭＯ）送信で基地局によって同時に送られる前記複数のＵＥに対する複数のデータ・ストリームのうちの１つであり、かつ、前記複数のデータ・ストリームは前記基地局によって異なるスクランブリング符号でスクランブルされ、前記異なるスクランブリング符号は、異なる対応するシード値で同じ擬似ランダム・シーケンス生成器（ｇｅｎｅｒａｔｏｒ）を初期化することによって得られる複数の擬似ランダム・ビット・シーケンスに対応する、少なくとも１つのプロセッサと、
前記少なくとも１つのプロセッサに結合されたメモリと
を備える無線通信のための装置。
【請求項３３】
前記少なくとも１つのプロセッサは、復号されたデータ・ストリームを得るために、前記符号化されたデータ・ストリームに対して前方誤り訂正（ＦＥＣ）復号、またはデレート・マッチング、あるいはＦＥＣ復号及びデレート・マッチングの両方を行なうように構成される請求項３２の装置。
【請求項３４】
前記少なくとも１つのプロセッサは、前記チャネル復号の前に、前記符号化されたデータ・ストリームに対してシンボル・デマッピングを行ない、前記シンボル・デマッピングの後にかつ前記チャネル復号の前に、前記符号化されたデータ・ストリームに対してチャネル・デインターリービングを行なうように構成される請求項３２の装置。
【請求項３５】
前記複数のデータ・ストリームは、前符号化をもって前記複数のＵＥに送られる請求項３２の装置。
【手続補正２】
【補正対象書類名】明細書
【補正対象項目名】００６５
【補正方法】変更
【補正の内容】
【００６５】
本出願は、２００６年１１月６日に提出され、本譲受人に譲渡され、ここに参照として取り入れられた「ＭＩＭＯ動作におけるコードワード・レベル・スクランブリングのための方法及び装置」という名称の米国仮出願第６０／８６４，５８２号に対する優先権を主張する。
以下に、本願出願の当初の特許請求の範囲に記載された発明を付記する。
［Ｃ１］  次のものを備える無線通信のための装置：
マルチプルインプット・マルチプルアウトプット（ＭＩＭＯ）送信のために同時に送られる複数のデータ・ストリームに対してチャネル符号化を行なうように、そして、チャネル符号化の後に複数のスクランブリング符号で複数のデータ・ストリームに対してスクランブリングを行なうように構成される少なくとも１つのプロセッサ；
及び、前記少なくとも１つのプロセッサに結合されたメモリ。
［Ｃ２］  前記少なくとも１つのプロセッサは、前記複数のデータ・ストリームに対する前記チャネル符号化から複数の符号化されたストリームを得るように、そして、対応するスクランブルされたストリームを得るために異なるスクランブリング符号で各符号化されたストリームをスクランブルするように構成されるＣ１の装置。
［Ｃ３］  前記少なくとも１つのプロセッサは、前記スクランブリングの後に、前記複数のデータ・ストリームに対して空間処理を行なうように構成されるＣ１の装置。
［Ｃ４］  前記少なくとも１つのプロセッサは、前記チャネル符号化の後にかつ前記スクランブリングの前又は後に、前記複数のデータ・ストリームに対してチャネル・インターリービングを行なうように構成されるＣ１の装置。
［Ｃ５］  前記少なくとも１つのプロセッサは、前記チャネル符号化の後にかつ前記スクランブリングの前又は後に、前記複数のデータ・ストリームに対してシンボル・マッピングを行なうように構成されるＣ１の装置。
［Ｃ６］  前記チャネル符号化は、前方誤り訂正（ＦＥＣ）符号化を含み、かつ、前記少なくとも１つのプロセッサは、対応する符号化されたストリームを得るために各データ・ストリームに対してＦＥＣ符号化を行なうように構成されるＣ１の装置。
［Ｃ７］  前記チャネル符号化はレート・マッチングを含み、かつ、前記少なくとも１つのプロセッサは、対応する符号化されたストリームを得るために各データ・ストリームに対してレート・マッチングを行なうように構成されるＣ１の装置。
［Ｃ８］  前記チャネル符号化は、前方誤り訂正（ＦＥＣ）符号化及びレート・マッチングを含み、かつ、前記少なくとも１つのプロセッサは、対応する符号化されたストリームを得るために各データ・ストリームに対してＦＥＣ符号化及びレート・マッチングを行なうように構成されるＣ１の装置。
［Ｃ９］  前記複数のフクランブリング符号は、複数の擬似乱数（ＰＮ）シーケンスに対応するＣ１の装置。
［Ｃ１０］  次のことを備える無線通信のための方法：
マルチプルインプット・マルチプルアウトプット（ＭＩＭＯ）送信のために同時に送られる複数のデータ・ストリームに対してチャネル符号化を行なうこと；
及び、前記チャネル符号化の後に複数のスクランブリング符号で前記複数のデータ・ストリームに対してスクランブリングを行なうこと。
［Ｃ１１］  前記チャネル符号化を行なうことは、対応する符号化されたストリームを得るために、各データ・ストリームに対して前方誤り訂正（ＦＥＣ）符号化及びレート・マッチングのうちの少なくとも１つを行なうことを備えるＣ１０の方法。
［Ｃ１２］  前記スクランブリングを行なうことは、対応するスクランブルされたストリームを得るために、異なるスクランブリング符号で各符号化されたストリームをスクランブリングすることを備えるＣ１１の方法。
［Ｃ１３］  次のことをさらに備えるＣ１０の方法：
前記チャネル符号化の後にかつ前記スクランブリングの前又は後に、前記複数のデータ・ストリームに対してシンボル・マッピングを行なうこと；
及び、前記シンボル・マッピング及び前記スクランブリングの後に前記複数のデータ・ストリームに対して空間処理を行なうこと。
［Ｃ１４］  次のものを備える無線通信のための装置：
マルチプルインプット・マルチプルアウトプット（ＭＩＭＯ）送信のために同時に送られる複数のデータ・ストリームに対してチャネル符号化を行なうための手段；
及び、前記チャネル符号化の後に、複数のスクランブリング符号で前記複数のデータ・ストリームに対してスクランブリング行なうための手段。
［Ｃ１５］  前記チャネル符号化を行なうための手段は、対応する符号化されたストリームを得るために、各データ・ストリームに対して前方誤り訂正（ＦＥＣ）符号化及びレート・マッチングのうちの少なくとも１つを行なうための手段を備えるＣ１４の装置。
［Ｃ１６］  前記スクランブリングを行なうための手段は、対応するスクランブルされたストリームを得るために、異なるスクランブリング符号で各符号化されたストリームをスクランブルするための手段を備えるＣ１５の装置。
［Ｃ１７］次のものをさらに備えるＣ１４の装置：
前記チャネル符号化の後にかつ前記スクランブリングの前又は後に、前記複数のデータ・ストリームに対してシンボル・マッピングを行なうための手段；
及び、前記シンボル・マッピング及び前記スクランブリングの後に、前記複数のデータ・ストリームに対して空間処理を行なうための手段。
［Ｃ１８］  機械によって実行される場合に次のことを含む動作を前記機械に行なわせる命令を備える機械読取り可能媒体：
マルチプルインプット・マルチプルアウトプット（ＭＩＭＯ）送信のために同時に送られる複数のデータ・ストリームに対してチャネル符号化を行なうこと；
及び、前記チャネル符号化の後に、複数のスクランブリング符号で前記複数のデータ・ストリームに対してスクランブリングを行なうこと。
［Ｃ１９］  次のものを備える無線通信用の装置：
マルチプルインプット・マルチプルアウトプット（ＭＩＭＯ）送信のために少なくとも１つの他の局によって送られる少なくとも１つの他のデータ・ストリームと同時に第１の局によって送られるデータ・ストリームに対してチャネル符号化を行なうように、そして、前記チャネル符号化の後に、スクランブリング符号で前記データ・ストリームに対してスクランブリングを行なうように構成される少なくとも１つのプロセッサであって、前記スクランブリング符号は、前記少なくとも１つの他のデータ・ストリームに対して前記少なくとも１つの他の局によって用いられる少なくとも１つの他のスクランブリング符号とは異なる少なくとも１つのプロセッサ；
及び、前記少なくとも１つのプロセッサに結合されたメモリ。
［Ｃ２０］  前記少なくとも１つのプロセッサは、符号化されたストリームを得るために、前記データ・ストリームに対して前方誤り訂正（ＦＥＣ）符号化及びレート・マッチングのうちの少なくとも１つを行なうように、そして、前記スクランブリング符号で前記符号化されたストリームをスクランブルするように構成されるＣ１９の装置。
［Ｃ２１］  前記少なくとも１つのプロセッサは、前記チャネル符号化の後に前記データ・ストリームに対してチャネル・インターリービングを行なうように、そして、前記チャネル・インターリービングの後に前記データ・ストリームに対してシンボル・マッピングを行なうように構成されるＣ１９の装置。
［Ｃ２２］  次のものを備える無線通信用の装置：
複数のデータ・ストリームを含むマルチプルインプット・マルチプルアウトプット（ＭＩＭＯ）送信を受け取るように、複数のスクランブリング符号で複数のデータ・ストリームに対してデスクランブリングを行なうように、そして、前記デスクランブリングの後に前記複数のデータ・ストリームに対してチャネル復号を行なうように構成された少なくとも１つのプロセッサ；
及び、前記少なくとも１つのプロセッサに結合されたメモリ。
［Ｃ２３］  前記少なくとも１つのプロセッサは、複数の検知されたシンボル・ストリームを得るために、複数の受信されたシンボル・ストリームに対してＭＩＭＯ検知を行なうように構成されるＣ２２の装置。
［Ｃ２４］  前記少なくとも１つのプロセッサは、前記チャネル復号の前にかつ前記デスクランブリングの前又は後に、前記複数のデータ・ストリームに対してシンボル・デマッピングを行なうように構成されるＣ２２の装置。
［Ｃ２５］  前記少なくとも１つのプロセッサは、前記チャネル復号の前にかつ前記デスクランブリングの前又は後に、前記複数のデータ・ストリームに対してチャネル・デインターリービングを行なうように構成されるＣ２２の装置。
［Ｃ２６］  前記少なくとも１つのプロセッサは、対応するデスクランブルされたストリームを得るために、異なるスクランブリング符号で各データ・ストリームに対してデスクランブリングを行なうように、そして、前記複数のデータ・ストリームに対する前記デスクランブリングから複数のデスクランブルされたストリームを得るように構成されるＣ２２の装置。
［Ｃ２７］  前記チャネル復号は、前方誤り訂正（ＦＥＣ）復号を含む、そして、前記少なくとも１つのプロセッサは、対応する復号されたデータ・ストリームを得るために、各デスクランブルされたストリームに対してＦＥＣ復号を行なうように構成されるＣ２６の装置。
［Ｃ２８］  前記チャネル復号は、デレート・マッチングを含む、そして、前記少なくとも１つのプロセッサは、対応する復号されたデータ・ストリームを得るために、各デスクランブルされたストリームに対してデレート・マッチングを行なうように構成されるＣ２６の装置。
［Ｃ２９］  前記チャネル復号は、前方誤り訂正（ＦＥＣ）復号及びデレート・マッチングを備える、そして、前記少なくとも１つのプロセッサは、対応する復号されたデータ・ストリームを得るために各デスクランブルされたストリームに対してＦＥＣ復号及びデレート・マッチングを行なうように構成されるＣ２６の装置。
［Ｃ３０］  次のことを備える無線通信のための方法：
複数のデータ・ストリームを含むマルチプルインプット・マルチプルアウトプット（ＭＩＭＯ）送信を受け取ること；
複数のサクランブリング符号で前記複数のデータ・ストリームに対してデスクランブリングを行なうこと；
及び、前記デスクランブリングの後に、前記複数のデータ・ストリームに対してチャネル復号を行なうこと。
［Ｃ３１］  前記デスクランブリングを行なうことは、対応するデスクランブルされたストリームを得るために、異なるスクランブリング符号で各データ・ストリームに対してデスクランブリングを行なうことを備えるＣ３０の方法。
［Ｃ３２］  前記チャネル復号を行なうことは、対応する復号されたデータ・ストリームを得るために、各デスクランブルされたストリームに対して前方誤り訂正（ＦＥＣ）復号及びデレート・マッチングのうちの少なくとも１つを行なうことを備えるＣ３１の方法。
［Ｃ３３］  次のことをさらに備えるＣ３０の方法：
複数の検知されたシンボル・ストリームを得るために、複数の受信されたシンボル・ストリームに対してＭＩＭＯ検知を行なうこと；
及び、前記デスクランブリングの前に、前記検知されたシンボル・ストリームに対してシンボル・デマッピングを行なうこと。
［Ｃ３４］  次のものを備える無線通信のための装置：
複数のデータ・ストリームを含むマルチプルインプット・マルチプルアウトプット（ＭＩＭＯ）送信を受け取るための手段；
複数のスクランブリング符号で前記複数のデータ・ストリームに対してデスクランブリングを行なうための手段；
及び、前記デスクランブリングの後に、前記複数のデータ・ストリームに対してチャネル復号を行なうための手段。
［Ｃ３５］  前記デスクランブリングを行なうための手段は、対応するデスクランブルされたストリームを得るために、異なるスクランブリング符号で各データ・ストリームに対してデスクランブリングを行なうための手段を備えるＣ３４の装置。
［Ｃ３６］  前記チャネル復号を行なうための手段は、対応する復号されたデータ・ストリームを得るために、各デスクランブルされたストリームに対して前方誤り訂正（ＦＥＣ）復号及びデレート・マッチングのうちの少なくとも１つを行なうための手段を備えるＣ３５の装置。
［Ｃ３７］  次のものをさらに備えるＣ３４の装置：
複数の検知されたシンボル・ストリームを得るために、複数の受信されたシンボル・ストリームに対してＭＩＭＯ検知を行なうための手段；
及び、前記デスクランブリングの前に、前記複数の検知されたシンボル・ストリームに対してシンボル・デマッピングを行なうための手段。
［Ｃ３８］  機械によって実行される場合に次のことを含む動作を前記機械に行なわせる命令を備える機械読取り可能媒体：
複数のデータ・ストリームを含むマルチプルインプット・マルチプルアウトプット（ＭＩＭＯ）送信を受け取ること；
複数のスクランブリング符号で前記複数のデータ・ストリームに対してデスクランブリングを行なうこと；
及び、前記デスクランブリングの後に、前記複数のデータ・ストリームに対してチャネル復号を行なうこと。
［Ｃ３９］  次のものを備える無線通信のための装置：
スクランブリング符号でデータ・ストリームに対してデスクランブリングを行なうように、そして、前記デスクランブリングの後に、前記データ・ストリームに対してチャネル復号を行なうように構成される少なくとも１つのプロセッサであって、前記データ・ストリームは、マルチプルインプット・マルチプルアウトプット（ＭＩＭＯ）送信のために同時に送られる複数のデータ・ストリームのうちの１つであり、かつ、前記複数のデータ・ストリームは異なるスクランブリング符号でスクランブルされる少なくとも１つのプロセッサ；
及び、前記少なくとも１つのプロセッサに結合されたメモリ。
［Ｃ４０］  前記少なくとも１つのプロセッサは、復号されたデータ・ストリームを得るために、前記データ・ストリームに対して前方誤り訂正（ＦＥＣ）復号及びデレート・マッチングのうちの少なくとも１つを行なうように構成されるＣ３９の装置。
［Ｃ４１］  前記少なくとも１つのプロセッサは、前記チャネル復号の前に、前記データ・ストリームに対してシンボル・デマッピングを行なうように、そして、前記シンボル・デマッピングの後にかつ前記チャネル復号の前に、前記データ・ストリームに対してチャネル・デインターリービングを行なうように構成されるＣ３９の装置。
［Ｃ４２］  前記複数のデータ・ストリームは、複数の局に送られるＣ３９の装置。
【外国語明細書】
2014053900000001.pdf